(57)【要約】  携帯電話機１の制御部１０は、ネットワークＬ１を介した他の携帯電話機１からの着信を検知した場合、又は公衆電話回線網Ｎを介した他の携帯電話機１からの着信を検知した場合、発信側の携帯電話機１の電話番号を特定する。制御部１０は、特定した発信者の電話番号に対して予め設定された公私の別と、着信を検知した時点での最寄の無線ＡＰ２に対して予め設定された公私の別とに応じて、着信があることをコンピュータ４へ通知するか否かを判定する。制御部１０は、着信があることをコンピュータ４へ通知すると判定した場合、自身の携帯電話機１に対して着信があることを通知するための表示用データを生成して第１通信部１４からコンピュータ４へ送信する。
2009016760.tif 000002
【特許請求の範囲】
【請求項１】
ネットワークを介して他の電話装置との間で通信を行なう電話装置において、
電話装置を識別する電話装置情報及び各電話装置に対して予め設定された用途の別を示す第１の用途種別情報を対応付けて登録してある電話装置テーブルと、
位置及び各位置に対して予め設定された用途の別を示す第２の用途種別情報を対応付けて登録してある位置テーブルと、
自身の現在位置を検出する位置検出手段と、
ネットワークを介した他の電話装置からの着信を検知する検知手段と、
該検知手段が着信を検知した場合、発信側の電話装置を検出する検出手段と、
該検出手段が検出した発信側の電話装置に対する第１の用途種別情報を前記電話装置テーブルから取得する第１取得手段と、
前記検知手段が着信を検知した場合、前記位置検出手段が検出した現在位置に対する第２の用途種別情報を前記位置テーブルから取得する第２取得手段と、
前記第１取得手段が取得した第１の用途種別情報及び前記第２取得手段が取得した第２の用途種別情報に基づいて、前記発信側の電話装置から着信がある旨を所定の通信装置へ通知するか否かを判定する判定手段と、
該判定手段が所定の通信装置へ通知すると判定した場合、前記発信側の電話装置から自身の電話装置に着信がある旨を所定の通信装置へ通知する通知手段と
を備えることを特徴とする電話装置。
【請求項２】
前記判定手段は、前記第１の用途種別情報及び前記第２の用途種別情報が同じ用途種別の関係にあると判断した場合、又は前記第１の用途種別情報が前記第２の用途種別情報を包含する若しくは包含される関係にあると判断した場合、前記発信側の電話装置から着信がある旨を所定の通信装置へ通知すると判定するように構成してあることを特徴とする請求項１に記載の電話装置。
【請求項３】
ネットワークを介して他の電話装置との間で通信を行なう電話装置において、
ネットワークを介した他の電話装置からの着信を検知する検知手段と、
該検知手段が着信を検知した場合、発信側の電話装置を検出する検出手段と、
前記検知手段が着信を検知した場合、自身の状態を検出する状態検出手段と、
該状態検出手段が検出した状態に基づいて、前記検出手段が検出した発信側の電話装置から着信がある旨を所定の通信装置へ通知するか否かを判定する判定手段と、
該判定手段が所定の通信装置へ通知すると判定した場合、前記発信側の電話装置から自身の電話装置に着信がある旨を所定の通信装置へ通知する通知手段と
を備えることを特徴とする電話装置。
【請求項４】
前記状態検出手段は、自身の載置状態を検出するように構成してあることを特徴とする請求項３に記載の電話装置。
【請求項５】
電話装置を識別する電話装置情報及び通信装置を識別する通信装置情報を対応付けて登録してある装置テーブルと、
前記判定手段が所定の通信装置へ通知すると判定した場合、前記発信側の電話装置に対応する通信装置を前記装置テーブルに基づいて特定する手段とを備え、
前記通知手段は、特定した通信装置へ、前記発信側の電話装置から自身の電話装置に着信がある旨を通知するように構成してあること
を特徴とする請求項１乃至４のいずれかひとつに記載の電話装置。
【請求項６】
前記検知手段が着信を検知してから所定時間を計時する計時手段と、
前記検知手段が検知した着信に対して応答がされたか否かを判断する手段とを備え、
前記通知手段は、前記計時手段が所定時間を計時した後、前記着信に対して応答がされていない場合、前記発信側の電話装置から自身の電話装置に着信がある旨を所定の通信装置へ通知するように構成してあること
を特徴とする請求項１乃至４のいずれかひとつに記載の電話装置。
【請求項７】
前記判定手段が所定の通信装置へ通知すると判定した場合、前記発信側の電話装置から自身の電話装置に着信がある旨を所定の通信装置へ通知する指示を所定の他の通信装置へ送出する手段を備えることを特徴とする請求項１又は３に記載の電話装置。
【請求項８】
ネットワークを介して他の電話装置との間で通信を行なう電話装置において、
ネットワークを介した他の電話装置からの着信を検知する検知手段と、
該検知手段が着信を検知した場合、発信側の電話装置を検出する検出手段と、
位置及び各位置に対して予め設定された通信装置を識別する通信装置情報を対応付けて登録してあるテーブルと、
自身の現在位置を検出する位置検出手段と、
前記検知手段が着信を検知した場合、前記位置検出手段が検出した現在位置に対応する通信装置を前記テーブルに基づいて特定する手段と、
特定した通信装置へ、前記検出手段が検出した発信側の電話装置から自身の電話装置に着信がある旨を通知する通知手段と
を備えることを特徴とする電話装置。
【請求項９】
ネットワークを介して相互に通信を行なう複数の電話装置と、該電話装置間の通信を制御する制御装置とを備えた通信システムにおいて、
前記電話装置は、
電話装置を識別する電話装置情報及び各電話装置に対して予め設定された用途の別を示す第１の用途種別情報を対応付けて登録してある電話装置テーブルと、
位置及び各位置に対して予め設定された用途の別を示す第２の用途種別情報を対応付けて登録してある位置テーブルと、
自身の現在位置を検出する位置検出手段と、
ネットワークを介した他の電話装置からの着信を検知する検知手段と、
該検知手段が着信を検知した場合、発信側の電話装置を検出する検出手段と、
該検出手段が検出した発信側の電話装置に対する第１の用途種別情報を前記電話装置テーブルから取得する第１取得手段と、
前記検知手段が着信を検知した場合、前記位置検出手段が検出した現在位置に対する第２の用途種別情報を前記位置テーブルから取得する第２取得手段と、
前記第１取得手段が取得した第１の用途種別情報及び前記第２取得手段が取得した第２の用途種別情報に基づいて、前記発信側の電話装置から着信がある旨を所定の通信装置へ通知するか否かを判定する判定手段と、
該判定手段が所定の通信装置へ通知すると判定した場合、前記発信側の電話装置から自身の電話装置に着信がある旨を所定の通信装置へ通知する指示を前記制御装置へ送出する手段とを有し、
前記制御装置は、前記電話装置から送出された指示に従って、前記指示を送出した電話装置に対して前記発信側の電話装置から着信がある旨を所定の通信装置へ通知する手段を有すること
を特徴とする通信システム。
【請求項１０】
ネットワークを介して相互に通信を行なう複数の電話装置と、該電話装置間の通信を制御する制御装置とを備えた通信システムにおいて、
前記電話装置は、
ネットワークを介した他の電話装置からの着信を検知する検知手段と、
該検知手段が着信を検知した場合、発信側の電話装置を検出する検出手段と、
前記検知手段が着信を検知した場合、自身の状態を検出する状態検出手段と、
該状態検出手段が検出した状態に基づいて、前記検出手段が検出した発信側の電話装置から着信がある旨を所定の通信装置へ通知するか否かを判定する判定手段と、
該判定手段が所定の通信装置へ通知すると判定した場合、前記発信側の電話装置から自身の電話装置に着信がある旨を所定の通信装置へ通知する指示を前記制御装置へ送出する手段とを有し、
前記制御装置は、前記電話装置から送出された指示に従って、前記指示を送出した電話装置に対して前記発信側の電話装置から着信がある旨を所定の通信装置へ通知する手段を有すること
を特徴とする通信システム。
【請求項１１】
前記所定の通信装置は、前記制御装置から通知された場合、前記指示を送出した電話装置に対して前記発信側の電話装置から着信がある旨を出力する手段を備えることを特徴とする請求項９又は１０に記載の通信システム。
【請求項１２】
コンピュータに、ネットワークを介して相互に通信を行なう電話装置間の通信を制御させるためのコンピュータプログラムにおいて、
コンピュータに、
ネットワークを介した電話装置からの発呼を検知するステップと、
発呼を検知した場合、発信側の電話装置及び着信側の電話装置を検出するステップと、
検出した発信側の電話装置に対して予め設定された用途の別を示す第１の用途種別情報を取得するステップと、
検出した着信側の電話装置の現在位置を取得するステップと、
着信側の電話装置に対する現在位置に対して予め設定された用途の別を示す第２の用途種別情報を取得するステップと、
取得した第１の用途種別情報及び第２の用途種別情報に基づいて、前記発信側の電話装置から前記着信側の電話装置に着信がある旨を所定の通信装置へ通知するか否かを判定するステップと、
所定の通信装置へ通知すると判定した場合、前記発信側の電話装置から前記着信側の電話装置に着信がある旨を出力する指示を所定の通信装置へ送出するステップと
を実行させるためのコンピュータプログラム。
【請求項１３】
コンピュータに、ネットワークを介して相互に通信を行なう電話装置間の通信を制御させるためのコンピュータプログラムにおいて、
コンピュータに、
ネットワークを介した電話装置からの発呼を検知するステップと、
発呼を検知した場合、発信側の電話装置及び着信側の電話装置を検出するステップと、
検出した着信側の電話装置の状態を検出するステップと、
検出した状態に基づいて、前記発信側の電話装置から前記着信側の電話装置に着信がある旨を所定の通信装置へ通知するか否かを判定するステップと、
所定の通信装置へ通知すると判定した場合、前記発信側の電話装置から前記着信側の電話装置に着信がある旨を出力する指示を所定の通信装置へ送出するステップと
を実行させるためのコンピュータプログラム。
【発明の詳細な説明】
【技術分野】
【０００１】
本発明は、ネットワークを介して他の電話装置との間で通信を行なう電話装置、該電話装置間の通信を制御装置が制御する通信システム、前記電話装置の動作をコンピュータによって実現するためのコンピュータプログラムに関する。
【背景技術】
【０００２】
ＩＰネットワークを介してパケットを送受信することが可能なＩＰ電話機が普及している。ＩＰ電話機は、例えば会社内に構築された社内ＬＡＮ（Local Area Network）に設けられた呼制御サーバ及び無線アクセスポイントと共にＩＰ電話システムを構成する。このようなＩＰ電話システムにおいて、ＩＰ電話機は、無線アクセスポイント及び社内ＬＡＮを介して他のＩＰ電話機との間でパケットの送受信を行なうことができる。また、社内ＬＡＮには、例えばインターネットが接続されており、ＩＰ電話機は、社内ＬＡＮ及びインターネットを介して会社外のＩＰ電話機との間でもパケットの送受信を行なうことができる。【０００３】
このようなＩＰ電話システムにおいて、社内ＬＡＮを介して会社内のＩＰ電話機から着信があった場合、又は社内ＬＡＮ及びインターネットを介して会社外のＩＰ電話機から着信があった場合、呼制御サーバは、発信者側のＩＰ電話機の電話番号と、受信者側のＩＰ電話機の電話番号とを検出し、受信者側のＩＰ電話機に着信がある旨を通知する。これにより、受信者側のＩＰ電話機は着信音を出力することによって所有者に着信があることを通知する。受信者側のＩＰ電話機の所有者が応答した場合、呼制御サーバは、受信者側のＩＰ電話機と発信者側のＩＰ電話機との接続を確立する。これにより、受信者側のＩＰ電話機と発信者側のＩＰ電話機との間でのパケットの送受信が可能となる。【０００４】
ＩＰ電話システムは、複数のＩＰ電話機をグループ毎に登録しておき、１つのＩＰ電話機に着信があった場合、同じグループ内の他のＩＰ電話機によって応答することが可能なコールピックアップ機能を有している。コールピックアップ機能は、ＩＰ電話機に着信がある状態で同じグループに属する他のＩＰ電話機から応答があった場合、呼制御サーバは、応答したＩＰ電話機と発信者側のＩＰ電話機との接続を確立する。これにより、応答したＩＰ電話機と発信者側のＩＰ電話機との間でのパケットの送受信が可能となる。従って、着信があったＩＰ電話機の所有者が応答できない場合であっても、グループ内の他のユーザによって確実に応答することができ、業務効率を向上させることができる。【０００５】
上述したコールピックアップ機能を利用する場合、グループ内のＩＰ電話機の各所有者が、グループ内の他のＩＰ電話機に着信があることを把握する必要がある。具体的には、机上で着信音を出力しているＩＰ電話機の所有者が離席している場合のように、所有者が応答できないＩＰ電話機に着信があることを把握する必要がある。しかし、例えば、ＩＰ電話機がマナーモードに設定されており、着信音が出力されないような場合、所有者が応答できないＩＰ電話機に着信があることを知ることはできず、他のＩＰ電話機から応答することはできない。【０００６】
そこで、特許文献１では、電話機に着信があった場合にその旨を予め設定されている表示装置に表示して通知する装置が提案されている。このような装置を用いることにより、電話機の所有者は、電話機が置いてある部屋とは異なる部屋で表示装置を用いて映像を視聴している場合であっても、自身の電話機に着信があることを把握することができる。また、電話機の所有者が表示装置を用いて映像を視聴していない場合であっても、視聴している他の視聴者が、着信の有無を把握することができる。【０００７】
また、特許文献２では、電話装置にパーソナルコンピュータを接続し、電話装置に着信があった場合、発信者情報をパーソナルコンピュータのディスプレイに表示するシステムが提案されている。このようなシステムを用いることにより、パーソナルコンピュータを用いて作業をしているユーザが、電話装置に着信があることを確実に把握することができる。
【特許文献１】特開２００６−２１７４９９号公報
【特許文献２】特開２００１−２２３７８２号公報
【発明の開示】
【発明が解決しようとする課題】
【０００８】
上述したように、特許文献１，２では、電話機に着信があることを確実に把握することができる。しかし、全ての着信に対して着信の通知を行なうので、着信の通知処理、具体的には表示装置に対する表示処理が増大するという問題を有する。特に、着信があった電話機の所有者が応答できる状態であるにもかかわらず着信の通知を行なった場合、不要な表示処理が増大する。【０００９】
また、例えば、着信があることを他のユーザのパーソナルコンピュータのモニタに表示させるように構成した場合には、不要な表示処理によって他のユーザの作業を妨害してしまう虞がある。従って、例えば、着信がある電話機の所有者が応答できない状態である場合のように、他のユーザへの通知が必要である場合にのみ他のユーザのパーソナルコンピュータへその旨を通知したいという要望がある。【００１０】
また、電話機を業務用電話として利用するだけでなく、私用電話としても利用する利用形態が考えられるが、このような利用形態において私用電話としての着信に対して着信の通知を行なった場合、発信者の情報及び受信者の情報等のプライベートな情報が他のユーザのパーソナルコンピュータに通知されることになるので、個人的な情報が他のユーザに公開されてしまい、プライバシーを十分に保護することができないという問題を有する。【００１１】
本発明は斯かる事情に鑑みてなされたものであり、その目的とするところは、他の電話装置からの着信があった場合に、着信があることの通知が必要である場合にのみ所定の通信装置へその旨を通知することにより、不要な通知処理の発生を抑制することが可能な電話装置、通信システム及びコンピュータプログラムを提供することにある。【００１２】
本発明の他の目的は、他の電話装置からの着信があった場合に、発信側の電話装置に応じて任意の通信装置へ着信があることを通知することにより、発信者の情報及び受信者の情報等のプライベートな情報が公開されてもよい通信装置のみへ着信の通知を行なうことが可能な電話装置を提供することにある。
【課題を解決するための手段】
【００１３】
本発明に係る電話装置は、電話装置を識別する電話装置情報及び各電話装置に対して予め設定された用途の別を示す第１の用途種別情報を対応付けて電話装置テーブルに登録してあり、位置及び各位置に対して予め設定された用途の別を示す第２の用途種別情報を対応付けて位置テーブルに登録してある。電話装置は、ネットワークを介した他の電話装置からの着信を検知した場合、発信側の電話装置を検出する。また、電話装置は、発信側の電話装置に対する第１の用途種別情報を電話装置テーブルから取得し、自身の現在位置に対する第２の用途種別情報を位置テーブルから取得する。そして、電話装置は、取得した第１の用途種別情報及び第２の用途種別情報に基づいて、発信側の電話装置から着信がある旨を所定の通信装置へ通知するか否かを判定し、所定の通信装置へ通知すると判定した場合、発信側の電話装置から自身の電話装置に着信がある旨を所定の通信装置へ通知する。【００１４】
本発明に係る電話装置は、発信側の電話装置に対する第１の用途種別情報と、自身の現在位置に対する第２の用途種別情報とが同じ用途種別の関係にあると判断した場合、又は発信側の電話装置に対する第１の用途種別情報が、自身の現在位置に対する第２の用途種別情報を包含する又は包含される関係にあると判断した場合、発信側の電話装置から着信がある旨を所定の通信装置へ通知すると判定する。【００１５】
本発明に係る電話装置は、ネットワークを介した他の電話装置からの着信を検知した場合、発信側の電話装置を検出する。また、電話装置は、着信を検知した場合、自身の状態を検出し、検出した状態に基づいて、発信側の電話装置から着信がある旨を所定の通信装置へ通知するか否かを判定し、所定の通信装置へ通知すると判定した場合、発信側の電話装置から自身の電話装置に着信がある旨を所定の通信装置へ通知する。【００１６】
本発明に係る電話装置は、自身の載置状態を検出し、検出した状態に基づいて、発信側の電話装置から着信がある旨を所定の通信装置へ通知するか否かを判定する。【００１７】
本発明に係る電話装置は、電話装置を識別する電話装置情報及び通信装置を識別する通信装置情報を対応付けて装置テーブルに登録してある。電話装置は、所定の通信装置へ通知すると判定した場合、発信側の電話装置に対応する通信装置を装置テーブルに基づいて特定し、特定した通信装置へ、発信側の電話装置から自身の電話装置に着信がある旨を通知する。【００１８】
本発明に係る電話装置は、着信を検知してから所定時間を計時しており、所定時間を計時した後に、前記着信に対して応答がされていない場合、発信側の電話装置から自身の電話装置に着信がある旨を所定の通信装置へ通知する。【００１９】
本発明に係る電話装置は、所定の通信装置へ通知すると判定した場合、発信側の電話装置から自身の電話装置に着信がある旨を所定の通信装置へ通知する指示を所定の他の通信装置へ送出する。【００２０】
本発明に係る電話装置は、ネットワークを介した他の電話装置からの着信を検知した場合、発信側の電話装置を検出する。電話装置は、位置及び各位置に対して予め設定された通信装置を識別する通信装置情報を対応付けてテーブルに登録してある。また、電話装置は、着信を検知した場合、自身の現在位置に対応する通信装置をテーブルに基づいて特定し、特定した通信装置へ、発信側の電話装置から自身の電話装置に着信がある旨を通知する。【００２１】
本発明に係る通信システムは、ネットワークを介して相互に通信を行なう複数の電話装置と、該電話装置間の通信を制御する制御装置とを備える。電話装置は、電話装置を識別する電話装置情報及び各電話装置に対して予め設定された用途の別を示す第１の用途種別情報を対応付けて電話装置テーブルに登録してあり、位置及び各位置に対して予め設定された用途の別を示す第２の用途種別情報を対応付けて位置テーブルに登録してある。電話装置は、他の電話装置からの着信を検知した場合、発信側の電話装置を検出する。電話装置は、発信側の電話装置に対する第１の用途種別情報を電話装置テーブルから取得すると共に、自身の現在位置に対する第２の用途種別情報を位置テーブルから取得する。そして、電話装置は、取得した第１の用途種別情報及び第２の用途種別情報に基づいて、発信側の電話装置から着信がある旨を所定の通信装置へ通知するか否かを判定する。また、電話装置は、所定の通信装置へ通知すると判定した場合、発信側の電話装置から自身の電話装置に着信がある旨を所定の通信装置へ通知する指示を制御装置へ送出する。制御装置は、前記電話装置から送出された指示に従って、前記指示を送出した電話装置に対して発信側の電話装置から着信がある旨を所定の通信装置へ通知する。【００２２】
本発明に係る通信システムは、ネットワークを介して相互に通信を行なう複数の電話装置と、該電話装置間の通信を制御する制御装置とを備える。電話装置は、他の電話装置からの着信を検知した場合、発信側の電話装置を検出する。また、電話装置は、着信を検知した場合、自身の状態を検出し、検出した状態に基づいて、発信側の電話装置から着信がある旨を所定の通信装置へ通知するか否かを判定する。電話装置は、所定の通信装置へ通知すると判定した場合、発信側の電話装置から自身の電話装置に着信がある旨を所定の通信装置へ通知する指示を制御装置へ送出する。制御装置は、前記電話装置から送出された指示に従って、前記指示を送出した電話装置に対して発信側の電話装置から着信がある旨を所定の通信装置へ通知する。【００２３】
本発明に係る通信システムは、前記指示を送出した電話装置に対して発信側の電話装置から着信がある旨を通知された所定の通信装置が、その旨を出力する。【００２４】
本発明に係るコンピュータプログラムは、コンピュータに読み取らせて実行させることにより、上述したような電話装置の動作をコンピュータによって実現することが可能となる。
【発明の効果】
【００２５】
本発明では、電話装置は、他の電話装置からの着信を検知した場合、発信側の電話装置に基づいて、検知した着信が業務電話の着信であるか私用電話の着信であるか等のように発信者に対して予め設定されている用途の別を取得すると共に、自身が現在業務に関係する場所にいるか私的な場所にいるか等のように現在位置に対して予め設定されている用途の別を取得する。電話装置は、それぞれに対する用途の別に応じて、発信側の電話装置から着信がある旨を所定の通信装置へ通知するか否かを判定し、必要に応じて通知する。よって、発信側の電話装置の所有者が業務に関係する相手であるか私的な相手であるか、また、自身が業務時間中であるか業務時間外であるかに応じて、着信の有無を所定の通信装置へ通知することができる。【００２６】
例えば、発信者に対する用途の別と、着信者の現在位置に対する用途の別とが同じ用途種別の関係にある場合、具体的には、検知した着信が業務電話の着信であり、自身が業務に関係する場所にいる場合のように、電話装置の所有者が業務中に業務電話の着信があった場合、着信があることを所定の通信装置へ通知すると判定する。また、検知した着信が私用電話の着信であり、自身が私的な場所にいる場合のように、電話装置の所有者が業務時間外に私用電話の着信があった場合、着信があることを所定の通信装置へ通知すると判定する。従って、着信の通知が必要である場合にのみ所定の通信装置への通知を行なうことができる。【００２７】
これにより、電話装置の所有者又は所定の通信装置のユーザは、所定の通信装置を介して着信があることを確実に知ることができ、着信に対して確実に応答することができる。また、例えば、電話装置の所有者が業務中に私用電話の着信があった場合、又は電話装置の所有者が業務時間外に業務電話の着信があった場合には、着信があることを所定の通信装置へ通知しないので、不要な通知処理の発生を抑制することができる。【００２８】
本発明では、電話装置は、他の電話装置からの着信を検知した場合、自身の状態に基づいて、発信側の電話装置から着信がある旨を所定の通信装置へ通知するか否かを判定する。よって、自身の状態、具体的には自身の載置状態に応じて、所定の通信装置へ着信の有無を通知することができる。具体的には、例えば、電話装置が充電中である場合、所定の側面が下面として机上等に載置されている場合、同じ載置状態が所定時間以上継続している場合、等のように電話装置が放置されている可能性がある場合、発信側の電話装置から着信がある旨を所定の通信装置へ通知すると判定する。従って、電話装置の所有者が電話装置を放置している場合であっても、電話装置の所有者又は所定の通信装置のユーザが、所定の通信装置を介して着信がある旨を知ることができ、着信に対して確実に応答することができる。また、例えば、電話装置が所有者によって携帯されている場合のように、所有者が応答する可能性が高い場合には、着信がある旨を所定の通信装置へ通知しないので、不要な通知処理の発生を抑制することができる。【００２９】
本発明では、発信側の電話装置に対応して予め設定された通信装置へ、発信側の電話装置から自身の電話装置に着信がある旨を通知する。よって、電話装置の所有者は、任意の通信装置を介して着信の有無を知ることができ、また、任意の通信装置のユーザに着信の有無を通知することができる。これにより、着信があった場合には、自身又は任意の通信装置のユーザによって確実に応答することができる。また、例えば、私用電話の着信を通知する通信装置として、他のユーザが使用しない通信装置、又はプライベートな情報が公開されてもよい通信装置を設定することにより、プライバシーを十分に保護することができる。【００３０】
本発明では、着信を検知してから所定時間を経過したときに着信に対して応答がされていない場合、発信側の電話装置から自身の電話装置に着信がある旨を所定の通信装置へ通知する。よって、電話装置の所有者が着信に対して所定時間以内に応答した場合には所定の通信装置への通知を行なわないので、不要な通知処理の発生を抑制することができる。【００３１】
本発明では、所定の通信装置へ通知すると判定した場合、発信側の電話装置から自身の電話装置に着信がある旨を所定の通信装置へ通知する指示を所定の他の通信装置（制御装置）へ送出する。制御装置は、取得した指示に従って、前記指示を送出した電話装置に対して発信側の電話装置から着信がある旨を所定の通信装置へ通知する。また、所定の通信装置は、前記指示を送出した電話装置に対して発信側の電話装置から着信がある旨を通知された場合、その旨を示す表示画面を表示する。よって、電話装置の所有者又は所定の通信装置のユーザは、表示画面に表示された情報に基づいて、着信の有無を確実に知ることができる。また、着信がある旨を所定の通信装置へ通知する処理を制御装置が行なうことにより、電話装置における処理負担を軽減することができる。【００３２】
本発明では、他の電話装置からの着信を検知した場合、自身の現在位置に対応する通信装置を特定し、特定した通信装置へ、発信側の電話装置から自身の電話装置に着信がある旨を通知する。よって、着信があった電話装置の現在位置に応じて任意の通信装置へ着信の有無を通知することができる。従って、各位置に応じて着信の通知を受けたい通信装置を登録しておくことにより、着信があることを通知された場合に、良好に応答することができる。また、例えば、着信を通知する通信装置として、他のユーザが使用しない通信装置、又はプライベートな情報が公開されてもよい通信装置を設定することにより、プライバシーを十分に保護することもできる。
【図面の簡単な説明】
【００３３】
【図１】実施形態１に係る携帯電話機を含む通信システムの構成例を示す模式図である。
【図２】本実施形態１に係る携帯電話機の構成例を示すブロック図である。
【図３】発信者テーブルの登録内容を示す模式図である。
【図４】位置テーブルの登録内容を示す模式図である。
【図５】コンピュータの構成例を示すブロック図である。
【図６】通知画面の構成例を示す模式図である。
【図７】携帯電話機による着信の通知処理の手順を示すフローチャートである。
【図８】携帯電話機による着信の通知処理の手順を示すフローチャートである。
【図９】携帯電話機による着信の通知処理の手順を示すフローチャートである。
【図１０】実施形態３に係る携帯電話機を含む通信システムの構成例を示す模式図である。
【図１１】携帯電話機の姿勢を説明するための模式図である。
【図１２】発信者テーブルの登録内容を示す模式図である。
【図１３】状態テーブルの登録内容を示す模式図である。
【図１４】携帯電話機による着信の通知処理の手順を示すフローチャートである。
【図１５】発信者テーブルの登録内容を示す模式図である。
【図１６】携帯電話機による着信の通知処理の手順を示すフローチャートである。
【図１７】通知先テーブルの登録内容を示す模式図である。
【図１８】携帯電話機による着信の通知処理の手順を示すフローチャートである。
【図１９】呼制御サーバの構成例を示す模式図である。
【図２０】通知先テーブルの登録内容を示す模式図である。
【図２１】携帯電話機による着信の通知処理の手順を示すフローチャートである。
【図２２】発信者テーブルの登録内容を示す模式図である。
【図２３】携帯電話機による着信の通知処理の手順を示すフローチャートである。
【図２４】携帯電話機による着信の通知処理の手順を示すフローチャートである。
【符号の説明】
【００３４】
１００  通信システム
１  携帯電話機（電話装置）
１０  制御部
１０ａ  タイマ（計時手段）
１３  メモリ部
１３ａ  発信者テーブル（電話装置テーブル、装置テーブル）
１３ｂ  位置テーブル
１３ｃ  状態テーブル
１３ｄ  通知先テーブル
１４  第１通信部（通知手段）
２０  姿勢検出部（状態検出手段）
３  呼制御サーバ
３０  制御部
【発明を実施するための最良の形態】
【００３５】
（実施形態１）
以下に、本発明に係る電話装置を、実施形態１である携帯電話機を示す図面に基づいて詳述する。図１は実施形態１に係る携帯電話機を含む通信システムの構成例を示す模式図である。本実施形態１の通信システム１００は、例えばＬＡＮのようなネットワーク（ＩＰネットワーク）Ｌ１、ネットワークＬ１に接続された呼制御サーバ３、ネットワークＬ１に接続された複数の無線アクセスポイント（以下、無線ＡＰという）２，２…、ネットワークＬ１に接続されたコンピュータ４、ネットワークＬ１を介して他の携帯電話機１との間で通信を行なう携帯電話機１，１…等により構成される。【００３６】
なお、図１には、ネットワークＬ１に１つのコンピュータ４が接続してある構成を図示しているが、複数のコンピュータ４がネットワークＬ１に接続してある構成でもよい。【００３７】
携帯電話機１は、ネットワークＬ１を介した無線通信が可能であり、最寄の無線ＡＰ２との間で無線通信を行なう。携帯電話機１が無線ＡＰ２及びネットワークＬ１を介して他の携帯電話機１に発呼した場合、呼制御サーバ３が、発信側（掛け手側）の携帯電話機１から受信したパケットに基づいて、発信側の携帯電話機１の電話番号と、受信側（受け手側）の携帯電話機１の電話番号とを検出する。そして、呼制御サーバ３は、受信側の携帯電話機１へ、発信側の携帯電話機１からの着信があることを通知するパケットを送信する。【００３８】
受信側の携帯電話機１は、発信側の携帯電話機１からの着信があることを通知するパケットを呼制御サーバ３から受信した場合、着信音を鳴動させると共に、発信側の携帯電話機１の電話番号を表示部１７（図２参照）に表示させる。これにより、受信側の携帯電話機１は、自身の所有者に着信があることを通知する。受信側の携帯電話機１の所有者は、着信が通知された場合、操作部１６（図２参照）を操作することにより応答する。呼制御サーバ３は、受信側の携帯電話機１からの応答があった場合、発信側の携帯電話機１と受信側の携帯電話機１との接続を確立する。これにより、発信側の携帯電話機１と受信側の携帯電話機１との間で通信を行なうことができる。【００３９】
また、通信システム１００は、複数の携帯電話機１，１…をグループ毎に予め登録しておき、１つの携帯電話機１に着信があった場合、同じグループ内の他の携帯電話機１によって応答することが可能なコールピックアップ機能を備えている。具体的には、呼制御サーバ３は、グループ毎に、各グループに属する携帯電話機１の電話番号を登録したグループテーブル（図示せず）をメモリ（図示せず）に保持している。【００４０】
そして、呼制御サーバ３は、受信側の携帯電話機１へ、発信側の携帯電話機１からの着信があることを通知するパケットを送信した場合に、受信側の携帯電話機１と同じグループに属する他の携帯電話機１から応答があった場合、応答してきた携帯電話機１と発信側の携帯電話機１との接続を確立する。これにより、受信側の携帯電話機１の所有者が応答できない状態であっても、予め登録された同じグループ内の他のユーザが確実に応答することができるので業務効率を向上させることができる。【００４１】
なお、コールピックアップ機能によって、着信のあった携帯電話機１ではない携帯電話機１と発信側の携帯電話機１とを接続させた場合、呼制御サーバ３は、着信のあった携帯電話機１へ、着信に対して他の携帯電話機１が応答したことを示すパケットを送信する。これにより、携帯電話機１の制御部１０は、着信に対して応答する必要がなくなったことを検出し、着信音の鳴動を終了させると共に、発信側の携帯電話機１の電話番号の表示部１７への表示を終了させる。【００４２】
ネットワークＬ１は、インターネットＩに接続されており、インターネットＩを介して、インターネットＩに接続された他のネットワークＬ２にも接続されている。従って、携帯電話機１は、インターネットＩを介して、他のネットワークＬ２を介して無線通信を行なう携帯電話機１との間でも通信を行なうことができる。この場合も、呼制御サーバ３は、ネットワークＬ１及びインターネットＩを介して発呼してきた携帯電話機１から受信したパケットに基づいて、発信側の携帯電話機１の電話番号と、受信側の携帯電話機１の電話番号とを検出し、受信側の携帯電話機１へ、発信側の携帯電話機１からの着信があることを通知するパケットを送信する。【００４３】
本実施形態１の携帯電話機１は、ネットワークＬ１、インターネットＩ及びネットワークＬ２を含むＩＰネットワークを介した通信だけでなく、例えばＦＯＭＡ網のような公衆電話回線網Ｎを介した通信も行なえるように構成されている。なお、携帯電話機１，１…は、自身を中心とした所定範囲内に存在する最寄の無線ＡＰ２との間で無線通信が可能であり、所定範囲内に無線ＡＰ２が存在しない場合、ネットワークＬ１の圏外となってネットワークＬ１を介して通信を行なえない。【００４４】
図２は本実施形態１に係る携帯電話機１の構成例を示すブロック図である。本実施形態１の携帯電話機１は、制御部１０、ＲＯＭ１１、ＲＡＭ１２、メモリ部１３、第１通信部１４、第２通信部１５、操作部１６、表示部１７、音声回路部１８等を備えており、これらのハードウェア各部はバス１ａを介して相互に接続されている。【００４５】
制御部１０は、タイマ（計時手段）１０ａが内蔵されたＣＰＵ（Central Processing Unit ）又はＭＰＵ（Micro Processor Unit）等で構成され、タイマ１０ａにて計時するタイミングに従って、ＲＯＭ１１又はメモリ部１３に予め記憶してある制御プログラムを適宜ＲＡＭ１２に読み出して実行すると共に、上述したハードウェア各部の動作を制御する。ＲＯＭ１１には、携帯電話機１を本発明の電話装置として動作させるために必要な種々の制御プログラムが予め格納されている。ＲＡＭ１２はＳＲＡＭ又はフラッシュメモリ等で構成されており、制御部１０による制御プログラムの実行時に発生する種々のデータを一時的に記憶する。【００４６】
メモリ部１３はフラッシュメモリのような不揮発性のメモリである。メモリ部１３には、携帯電話機１を本発明の電話装置として動作させるために必要な種々の制御プログラム、図３に示すような発信者テーブル１３ａ、図４に示すような位置テーブル１３ｂ、着信音データ（着信メロディ）等が予め格納されている。また、メモリ部１３には、自身の携帯電話機１に関する情報として、携帯電話機１の電話番号、携帯電話機１の所有者の氏名等も格納されている。【００４７】
発信者テーブル（電話装置テーブル）１３ａには、図３に示すように、予め登録された発信者毎に、発信者が所有する携帯電話機１の電話番号（電話装置情報）、会社名及び氏名を含む発信者情報、公私の別等が対応付けてそれぞれ登録してある。なお、公私の別の欄には、発信者が業務に関係する相手である場合には「公」が登録され、発信者が私的な相手である場合には「私」が登録される。発信者テーブル１３ａの登録内容は、携帯電話機１の所有者が操作部１６を介して各発信者に関する情報を追加又は修正する都度、制御部１０によって追加又は修正される。【００４８】
位置テーブル１３ｂには、図４に示すように、ネットワークＬ１に接続された無線ＡＰ２，２…毎に、無線ＡＰ２，２…を識別するための無線ＡＰ情報、公私の別等が対応付けてそれぞれ登録してある。なお、公私の別の欄には、無線ＡＰ２が業務に関係する場所に設置されている場合には「公」が登録され、無線ＡＰ２が私的な場所に設置されている場合には「私」が登録される。【００４９】
従って、位置テーブル１３ｂには、無線ＡＰ２，２…の各設置場所が、業務に関係する場所であるのか、私的な場所であるのかが登録されている。位置テーブル１３ｂの登録内容は、携帯電話機１の所有者が操作部１６を介して各無線ＡＰ２に関する情報を追加又は修正する都度、制御部１０によって追加又は修正される。【００５０】
なお、発信者テーブル１３ａに登録される公私の別を示す情報及び位置テーブル１３ｂに登録される公私の別を示す情報は、「公」及び「私」に限られず、各発信者に対して予め設定された用途の別を示す情報（第１の用途種別情報）及び各位置に対して予め設定された用途の別を示す情報（第２の用途種別情報）であればよい。【００５１】
第１通信部１４は、ネットワークＬ１を介した無線通信のために電波の送受信を行なうアンテナ１４ａに接続されており、制御部１０からの指示に従ってアンテナ１４ａを介して、最寄の無線ＡＰ２との接続を確立する。なお、携帯電話機１を中心とした所定範囲内に無線ＡＰ２が存在しない場合、携帯電話機１はネットワークＬ１を介した通信を行なうことができない。【００５２】
第２通信部１５は、公衆電話回線網Ｎを介した無線通信のために電波の送受信を行なうアンテナ１５ａに接続されており、制御部１０からの指示に従ってアンテナ１５ａを介して、公衆電話回線網Ｎに設けられた最寄の基地局（図示せず）との接続を確立する。なお、携帯電話機１を中心とした所定範囲内に基地局（アクセスポイント）が存在しない場合、公衆電話回線網Ｎの圏外となって公衆電話回線網Ｎを介した通信を行なうことができない。【００５３】
操作部１６は、携帯電話機１を所有する所有者が携帯電話機１を操作するために必要な各種の操作キーを備えている。所有者により各操作キーが操作された場合、操作部１６は操作された操作キーに対応した制御信号を制御部１０へ送出し、制御部１０は取得した制御信号に対応した処理を実行する。【００５４】
表示部１７は、例えば液晶ディスプレイ（ＬＣＤ）で構成され、制御部１０からの指示に従って、携帯電話機１の動作状況、操作部１６を介して入力された情報、所有者に対して通知すべき情報等を表示する。【００５５】
音声回路部１８には、マイク１８ａ及びスピーカ１８ｂが接続されている。マイク１８ａは、携帯電話機１が電話機として使用される際に使用者（所有者）が発話した音声を集音して音声回路部１８へ伝送する。スピーカ１８ｂは、携帯電話機１が電話機として使用される際に着信音及び発信者（通話先）からの通話音を出力する。【００５６】
音声回路部１８は、Ａ／Ｄ変換器（図示せず）を有する。音声回路部１８は、マイク１８ａが集音して得られたアナログの音声信号に対してＡ／Ｄ変換処理を行なってデジタルの音声信号を生成し、得られたデジタルの音声信号を第１通信部１４又は第２通信部１５へ送出する。なお、第１通信部１４及び第２通信部１５はそれぞれ、音声回路部１８から送出されたデジタルの音声信号を音声パケットに変換し、得られた音声パケットをアンテナ１４ａ，１５ａを介して通話相手の携帯電話機１へ送信する。【００５７】
また、音声回路部１８は、制御部１０からの指示に従って、メモリ部１３から読み出された着信音データに基づく着信音をスピーカ１８ｂに出力させる。また、音声回路部１８は、制御部１０からの指示に従って、第１通信部１４又は第２通信部１５によって通話相手の携帯電話機１から受信した音声データに基づく通話音をスピーカ１８ｂに出力させる。【００５８】
なお、第１通信部１４及び第２通信部１５はそれぞれ、Ｄ／Ａ変換器（図示せず）を有する。第１通信部１４及び第２通信部１５はそれぞれ、ネットワークＬ１及び公衆電話回線網Ｎのそれぞれから受信した音声パケットをデジタルの音声信号に変換し、得られたデジタルの音声信号に対してＤ／Ａ変換処理を行なってアナログの音声信号を生成し、得られたアナログの音声信号を音声回路部１８へ送出する。【００５９】
上述した処理により、携帯電話機１は、ネットワークＬ１及び公衆電話回線網Ｎのそれぞれを介して通話相手の携帯電話機１との間で通信を行なうことができる。なお、携帯電話機１は、音声パケットだけでなく、映像信号を変換して生成した映像パケット、データ信号を変換して生成したデータパケット等の送受信も行なうことができる。【００６０】
図５はコンピュータ４の構成例を示すブロック図である。本実施形態１のコンピュータ４は、公知のパーソナルコンピュータであり、制御部４０、ＲＯＭ４１、ＲＡＭ４２、ＨＤＤ４３、操作部４４、表示部４５、ネットワークＬ１を介した通信を行なうための通信部４６等を備えており、これらのハードウェア各部はバス４ａを介して相互に接続されている。【００６１】
制御部４０は、ＣＰＵ又はＭＰＵ等で構成され、ＲＯＭ４１又はＨＤＤ４３に予め記憶してある制御プログラムを適宜ＲＡＭ４２に読み出して実行すると共に、上述したハードウェア各部の動作を制御する。ＲＯＭ４１には、コンピュータ４を動作させるために必要な種々の制御プログラムが予め格納されている。ＲＡＭ４２はＳＲＡＭ又はフラッシュメモリ等で構成されており、制御部４０による制御プログラムの実行時に発生する種々のデータを一時的に記憶する。【００６２】
ＨＤＤ４３は大容量の記憶装置である。ＨＤＤ４３には、制御部４０によって実行される種々の制御プログラム、携帯電話機１から所定のパケットを受信した場合に所定の通知画面を表示するための通知画面表示処理プログラム４３ａ等が予め格納されている。【００６３】
操作部４４は、コンピュータ４を操作するユーザがコンピュータ４を操作するために必要な各種の操作キーを備えている。ユーザにより各操作キーが操作された場合、操作部４４は操作された操作キーに対応した制御信号を制御部４０へ送出し、制御部４０は取得した制御信号に対応した処理を実行する。【００６４】
表示部４５は、例えば液晶ディスプレイ又はＣＲＴディスプレイで構成され、制御部４０からの指示に従って、コンピュータ４の動作状況、操作部４４を介して入力された情報、コンピュータ４のユーザに対して通知すべき情報等を表示する。【００６５】
上述した構成の通信システム１００において、携帯電話機１の制御部１０は、所定の時間間隔で第１通信部１４を介して最寄の無線ＡＰ２と通信を行なっており、最寄の無線ＡＰ２の設置位置によって携帯電話機１の現在位置を検出する位置検出手段として動作する。制御部１０は、最寄の無線ＡＰ２を検出する都度、最寄の無線ＡＰ２を識別する無線ＡＰ情報をメモリ部１３に逐次更新して記憶させておく。【００６６】
携帯電話機１の制御部（検知手段）１０は、着信があることを通知するパケットを呼制御サーバ３から受信した場合、ネットワークＬ１を介した他の携帯電話機１から自身に対して着信があることを検知する。着信があることを通知するパケットには、発信側の携帯電話機１の電話番号が含まれており、制御部（検出手段）１０は、呼制御サーバ３から受信したパケットを解析して発信者を検出（特定）することができる。【００６７】
本実施形態１の携帯電話機１では、制御部１０は、発信者を特定できた場合、着信音を鳴動させ、着信がある旨を通知する表示画面を表示部１７に表示させて所有者に着信があることを通知する。これと同時に、制御部（第１取得手段）１０は、発信側の携帯電話機１の電話番号に対する公私の別を発信者テーブル１３ａから取得する。また、制御部（第２取得手段）１０は、メモリ部１３に記憶してある無線ＡＰ情報に基づいて、現在の最寄の無線ＡＰ２に対する公私の別を位置テーブル１３ｂから取得する。【００６８】
制御部（判定手段）１０は、上述したように発信者テーブル１３ａから取得した公私の別と、位置テーブル１３ｂから取得した公私の別とに基づいて、この発信者から着信がある旨をコンピュータ（所定の通信装置）４へ通知するか否かを判定する。発信者テーブル１３ａから取得した公私の別と、位置テーブル１３ｂから取得した公私の別とが同じ用途種別である場合、即ち、発信側の携帯電話機１の電話番号に対して発信者テーブル１３ａに「公」が登録されており、現在の最寄の無線ＡＰ２に対して位置テーブル１３ｂに「公」が登録されている場合、又は、発信側の携帯電話機１の電話番号に対して発信者テーブル１３ａに「私」が登録されており、現在の最寄の無線ＡＰ２に対して位置テーブル１３ｂに「私」が登録されている場合、制御部１０は、この発信者から着信がある旨をコンピュータ４へ通知すると判定する。【００６９】
具体的には、発信者が業務に関係する相手であり、着信がある携帯電話機１の所有者が業務に関係する場所にいる場合、即ち、携帯電話機１の所有者が業務時間中に業務電話の着信があった場合に、着信があることをコンピュータ４へ通知する。また、発信者が私的な相手であり、着信がある携帯電話機１の所有者が私的な場所にいる場合、即ち、携帯電話機１の所有者が業務時間外に私用電話の着信があった場合に、着信があることをコンピュータ４へ通知する。よって、応答する必要性の高い着信の有無をコンピュータ４へ通知することができ、携帯電話機１の所有者だけでなく、コンピュータ４のユーザによっても着信の有無を把握することができる。【００７０】
なお、制御部１０は、発信側の携帯電話機１の電話番号に対して発信者テーブル１３ａに「公」が登録されており、現在の最寄の無線ＡＰ２に対して位置テーブル１３ｂに「私」が登録されている場合、又は、発信側の携帯電話機１の電話番号に対して発信者テーブル１３ａに「私」が登録されており、現在の最寄の無線ＡＰ２に対して位置テーブル１３ｂに「公」が登録されている場合、この発信者から着信がある旨をコンピュータ４へは通知しないと判定する。【００７１】
具体的には、携帯電話機１の所有者が業務時間中に私用電話の着信があった場合、又は携帯電話機１の所有者が業務時間外に業務電話の着信があった場合には、着信があることをコンピュータ４へ通知しない。よって、応答する必要性の低い着信をコンピュータ４へ通知しないことにより、コンピュータ４への着信の通知処理の実行頻度の増大を抑制することができる。これにより、コンピュータ４へ着信の通知処理を行なうことによるコンピュータ４のユーザへの負担を軽減することができる。【００７２】
発信者テーブル１３ａから取得した公私の別（用途の別）と、位置テーブル１３ｂから取得した公私の別（用途の別）とは、同じ用途種別である場合だけでなく、発信者テーブル１３ａから取得した用途の別が、位置テーブル１３ｂから取得した用途の別を包含する場合又は包含される場合にも、制御部１０は、発信者から着信がある旨をコンピュータ４へ通知すると判定する。具体的には、発信者又は着信者の現在位置に対応して「公」又は「私」のいずれかが予め設定されるのではなく、例えば、「公」、「私」又は「公及び私」を設定できるようにした場合、発信者テーブル１３ａから取得した公私の別が「公」であり、位置テーブル１３ｂから取得した公私の別が「公私」であった場合にも、発信者から着信がある旨をコンピュータ４へは通知しないと判定する。【００７３】
制御部１０は、発信者から着信がある旨をコンピュータ４へ通知すると判定した場合、発信者テーブル１３ａから発信者情報を読み出すと共に、メモリ部１３から自身の携帯電話機１の所有者の氏名を読み出す。そして、制御部１０は、図６に示すような通知画面を表示させるための表示用データを生成し、第１通信部（通知手段）１４を介してコンピュータ４へ送信する。【００７４】
コンピュータ４の制御部４０は、携帯電話機１から表示用データを受信した場合、ＨＤＤ４３に記憶してある通知画面表示処理プログラム４３ａをＲＡＭ４２に読み出して順次実行することにより、図６に示すような通知画面を表示部４５に表示させる。図６は通知画面の構成例を示す模式図である。通知画面は、図６に示すように、受信者の氏名、即ち、着信がある携帯電話機１の所有者の氏名、発信者の氏名、コールピックアップ機能を利用して同じグループに属する他の携帯電話機１によって応答が可能であるか否かを示す情報等を表示する。【００７５】
ここで、携帯電話機１は、上述したように着信があることをコンピュータ４へ通知する処理を、ネットワークＬ１を介した着信だけでなく、公衆電話回線網Ｎを介した着信に対しても行なうように構成されている。しかし、コールピックアップ機能は、ネットワークＬ１を介した通信における機能であるので、公衆電話回線網Ｎを介した着信に対しては、他の携帯電話機１から応答することはできない。【００７６】
従って、携帯電話機１の制御部１０は、発信側の携帯電話機１の電話番号に基づいて、着信が、ネットワークＬ１を介した着信であるか、公衆電話回線網Ｎを介した着信であるかを判断する。そして、制御部１０は、ネットワークＬ１を介した着信の場合には、図６（ａ）に示すように「コールピックアップ可能」のメッセージを表示した通知画面を表示させるための表示用データを生成し、公衆電話回線網Ｎを介した着信の場合には、図６（ｂ）に示すように「コールピックアップ不可」のメッセージを表示した通知画面を表示させるための表示用データを生成する。【００７７】
図６（ａ）又は図６（ｂ）に示したような通知画面をコンピュータ４の表示部４５に表示させることにより、コンピュータ４のユーザは、誰の携帯電話機１に対して着信があるかを把握することができ、着信に対して確実に対応することができる。なお、図６（ａ）に示す通知画面がコンピュータ４の表示部４５に表示された場合、コンピュータ４のユーザは、自身の携帯電話機１によって、通知された着信に対して応答すればよい。また、図６（ｂ）に示す通知画面がコンピュータ４の表示部４５に表示された場合、コンピュータ４のユーザは、自身では応答できないため、携帯電話機１の所有者にその旨を知らせればよい。図６に示した通知画面において、コンピュータ４のユーザが、操作部４４を介して閉じるボタンを操作した場合、制御部４０は、通知画面の表示を終了する。【００７８】
以下に、本実施形態１の通信システム１００において、携帯電話機１への着信をコンピュータ４へ通知する処理についてフローチャートに基づいて説明する。図７は携帯電話機１による着信の通知処理の手順を示すフローチャートである。なお、以下の処理は、携帯電話機１のＲＯＭ１１又はメモリ部１３に記憶してある制御プログラムに従って制御部１０によって実行される。【００７９】
携帯電話機１の制御部１０は、呼制御サーバ３から着信を通知するパケットを受信した場合、又は公衆電話回線網Ｎに設けられた基地局から着信を通知するパケットを受信した場合、受信したパケットを解析し、発信側の携帯電話機１の電話番号を取得する（Ｓ１）。制御部１０は、取得した電話番号に対する公私の別、即ち発信者に対する公私の別を発信者テーブル１３ａの登録内容に基づいて判断する（Ｓ２）。【００８０】
制御部１０は、メモリ部１３に記憶してある無線ＡＰ情報が示す現在の最寄の無線ＡＰ２に対する公私の別、即ち携帯電話機１の現在位置に対する公私の別を位置テーブル１３ｂの登録内容に基づいて判断する（Ｓ３）。制御部１０は、ステップＳ２の判断処理において、発信者に対して発信者テーブル１３ａに「公」が登録されているか否かを判断し（Ｓ４）、「公」が登録されている場合（Ｓ４：ＹＥＳ）、ステップＳ３の判断処理において、現在位置に対して位置テーブル１３ｂに「公」が登録されているか否かを判断する（Ｓ５）。【００８１】
現在位置に対して「公」が登録されている場合（Ｓ５：ＹＥＳ）、即ち、発信者に対しても現在位置に対しても「公」が登録されている場合、制御部１０は、自身の携帯電話機１に対して着信があることを通知するための表示用データを生成して第１通信部１４からコンピュータ４へ送信し（Ｓ６）、処理を終了する。現在位置に対して「公」が登録されていない場合（Ｓ５：ＮＯ）、即ち、発信者に対しては「公」が登録されており、現在位置に対しては「私」が登録されている場合、制御部１０は、上述した着信の通知処理を終了する。【００８２】
ステップＳ４で、発信者に対して発信者テーブル１３ａに「公」が登録されていない場合（Ｓ４：ＮＯ）、制御部１０は、現在位置に対して位置テーブル１３ｂに「公」が登録されているか否かを判断する（Ｓ７）。現在位置に対して「公」が登録されている場合（Ｓ７：ＹＥＳ）、即ち、発信者に対しては「私」が登録されており、現在位置に対しては「公」が登録されている場合、制御部１０は、上述した着信の通知処理を終了する。【００８３】
ステップＳ７で、現在位置に対して「公」が登録されていない場合（Ｓ７：ＮＯ）、即ち、発信者に対しても現在位置に対しても「私」が登録されている場合、制御部１０は、自身の携帯電話機１に対して着信があることを通知するための表示用データを生成して第１通信部１４からコンピュータ４へ送信し（Ｓ６）、処理を終了する。【００８４】
上述したように、着信のある携帯電話機１から表示用データを送信されたコンピュータ４において、制御部４０は、ＨＤＤ４３に記憶してある通知画面表示処理プログラム４３ａをＲＡＭ４２に読み出して順次実行し、図６に示すような通知画面を表示部４５に表示させる。これにより、携帯電話機１に着信があることをコンピュータ４のユーザに通知することができる。【００８５】
上述した処理により、本実施形態１では、携帯電話機１の所有者が業務時間中に業務電話の着信があった場合、又は、携帯電話機１の所有者が業務時間外に私用電話の着信があった場合にのみ、着信があることをコンピュータ４へ通知する。従って、応答する必要性の高い着信をコンピュータ４を介して確実に把握することができる。また、応答する必要性の低い着信をコンピュータ４のユーザへ通知しないことにより、コンピュータ４への着信の通知処理の実行頻度の増大を抑制することができ、コンピュータ４のユーザへの負担を軽減することができる。【００８６】
上述した実施形態１では、本発明に係る電話装置を、ネットワークＬ１、インターネットＩ及びネットワークＬ２を含むＩＰネットワークを介した通信と、公衆電話回線網Ｎを介した通信とが可能に構成された携帯電話機１に適用した例について説明した。しかし、本発明に係る電話装置は、必ずしもＦＭＣ（Fixed Mobile Convergence）端末である必要はなく、ＩＰネットワークを介した通信が可能なＩＰ電話機にも適用することができる。【００８７】
また、上述した実施形態１では、携帯電話機１に着信があることを１つのコンピュータ４に対して通知する構成の通信システム１００について説明した。しかし、複数のコンピュータ４に通知してもよいことはいうまでもない。特に、コールピックアップ機能を利用するために設定された各グループのメンバが使用するコンピュータ４に着信を通知するように構成した場合には、着信を通知されたいずれかのユーザによって着信に対して応答することができるので、業務効率を向上させることができる【００８８】
（実施形態２）
以下に、本発明に係る電話装置を、実施形態２である携帯電話機を示す図面に基づいて詳述する。なお、本実施形態２の携帯電話機は、図１及び図２に示した実施形態１の携帯電話機１と同一の構成によって実現されるので構成についての説明を省略する。本実施形態２の携帯電話機１は、図２に示した各構成のほかに、表示タイマが設定されているか否かを示す情報がメモリ部１３に格納されている。【００８９】
上述した実施形態１の携帯電話機１は、ネットワークＬ１を介した着信又は公衆電話回線網Ｎを介した着信がある都度、着信があることをコンピュータ４へ通知する構成であった。このような構成の場合、例えば携帯電話機１の所有者が着信に対して応答できるような状況であっても、コンピュータ４への通知処理を行なうので、不要な通知処理が頻発してしまう。【００９０】
そこで、本実施形態２の携帯電話機１は、着信を検知してから着信を通知するための表示用データをコンピュータ４へ送信するまでの間に所定時間（例えば１０秒程度）待機する表示タイマ機能を備えている。なお、本実施形態２の携帯電話機１は、表示タイマ機能を実行させるか否かを所有者による設定で変更できるように構成されており、所有者によって設定が変更される都度、設定された情報、具体的には、表示タイマが設定されているか否かを示す情報がメモリ部１３に更新して格納される。【００９１】
本実施形態２の通信システム１００において、携帯電話機１の制御部１０は、上述した実施形態１と同様に、所定の時間間隔で第１通信部１４を介して最寄の無線ＡＰ２と通信を行なっており、最寄の無線ＡＰ２を検出する都度、最寄の無線ＡＰ２を識別する無線ＡＰ情報をメモリ部１３に逐次更新して記憶させておく。【００９２】
制御部１０は、ネットワークＬ１又は公衆電話回線網Ｎを介して他の携帯電話機１からの着信を検知した場合、発信者を特定すると共に、タイマ１０ａによって所定時間の計時処理を開始する。また、制御部１０は、発信側の携帯電話機１の電話番号に対する公私の別を発信者テーブル１３ａの登録内容に基づいて判断すると共に、メモリ部１３に記憶してある無線ＡＰ情報によって特定される現在の最寄の無線ＡＰ２に対する公私の別を位置テーブル１３ｂの登録内容に基づいて判断する。そして、制御部１０は、これらの判断結果に基づいて、着信があることをコンピュータ４へ通知すると判定した場合、図６に示すような通知画面を表示させるための表示用データを生成する。【００９３】
ここで、制御部１０は、メモリ部１３に格納してある情報に基づいて、表示タイマが設定されているか否かを判断し、設定されていない場合、生成した表示用データを第１通信部１４を介してコンピュータ４へ送信する。一方、表示タイマが設定されている場合、制御部１０は、タイマ１０ａによって所定時間が計時された後、着信に対してまだ応答がされていない場合にのみ、生成した表示用データを第１通信部１４を介してコンピュータ４へ送信する。これにより、コンピュータ４は、携帯電話機１から受信した表示用データに基づいて、図６に示すような通知画面を表示部４５に表示させることができる。なお、制御部１０は、無線ＡＰ２からのパケット又は公衆電話回線網Ｎに設けられた基地局からのパケットに基づいて、着信に対して応答がされたか否かを判断する。【００９４】
以下に、本実施形態２の通信システム１００において、携帯電話機１への着信をコンピュータ４へ通知する処理についてフローチャートに基づいて説明する。図８及び図９は携帯電話機１による着信の通知処理の手順を示すフローチャートである。なお、以下の処理は、携帯電話機１のＲＯＭ１１又はメモリ部１３に記憶してある制御プログラムに従って制御部１０によって実行される。【００９５】
携帯電話機１の制御部１０は、呼制御サーバ３から着信を通知するパケットを受信した場合、又は公衆電話回線網Ｎに設けられた基地局から着信を通知するパケットを受信した場合、受信したパケットを解析し、発信側の携帯電話機１の電話番号を取得する（Ｓ１１）。制御部１０は、自身のタイマ１０ａによる所定時間の計時処理を開始する（Ｓ１２）。【００９６】
制御部１０は、ステップＳ１１で取得した電話番号に対する公私の別、即ち発信者に対する公私の別を発信者テーブル１３ａの登録内容に基づいて判断する（Ｓ１３）。また制御部１０は、メモリ部１３に記憶してある無線ＡＰ情報が示す現在の最寄の無線ＡＰ２に対する公私の別、即ち携帯電話機１の現在位置に対する公私の別を位置テーブル１３ｂの登録内容に基づいて判断する（Ｓ１４）。【００９７】
制御部１０は、ステップＳ１３の判断処理において、発信者に対して発信者テーブル１３ａに「公」が登録されているか否かを判断し（Ｓ１５）、「公」が登録されている場合（Ｓ１５：ＹＥＳ）、ステップＳ１４の判断処理において、現在位置に対して位置テーブル１３ｂに「公」が登録されているか否かを判断する（Ｓ１６）。【００９８】
現在位置に対して「公」が登録されている場合（Ｓ１６：ＹＥＳ）、即ち、発信者に対しても現在位置に対しても「公」が登録されている場合、制御部１０は、自身の携帯電話機１に対して着信があることを通知するための表示用データを生成し（Ｓ１８）、ステップＳ１９へ処理を移行する。現在位置に対して「公」が登録されていない場合（Ｓ１６：ＮＯ）、即ち、発信者に対しては「公」が登録されており、現在位置に対しては「私」が登録されている場合、制御部１０は、上述した着信の通知処理を終了する。【００９９】
ステップＳ１５で、発信者に対して発信者テーブル１３ａに「公」が登録されていない場合（Ｓ１５：ＮＯ）、制御部１０は、ステップＳ１４の判断処理において、現在位置に対して位置テーブル１３ｂに「公」が登録されているか否かを判断する（Ｓ１７）。現在位置に対して「公」が登録されている場合（Ｓ１７：ＹＥＳ）、即ち、発信者に対しては「私」が登録されており、現在位置に対しては「公」が登録されている場合、制御部１０は、上述した着信の通知処理を終了する。【０１００】
ステップＳ１７で、現在位置に対して「公」が登録されていない場合（Ｓ１７：ＮＯ）、即ち、発信者に対しても現在位置に対しても「私」が登録されている場合、制御部１０は、自身の携帯電話機１に対して着信があることを通知するための表示用データを生成し（Ｓ１８）、ステップＳ１９へ処理を移行する。【０１０１】
制御部１０は、メモリ部１３に記憶してある情報に基づいて表示タイマが設定されているか否かを判断し（Ｓ１９）、設定されていないと判断した場合（Ｓ１９：ＮＯ）、ステップＳ１８で生成した表示用データを第１通信部１４からコンピュータ４へ送信し（Ｓ２２）、処理を終了する。【０１０２】
表示タイマが設定されていると判断した場合（Ｓ１９：ＹＥＳ）、制御部１０は、呼制御サーバ３から着信に対して応答があったことを通知するパケットを受信したか否かに応じて、又は公衆電話回線網Ｎに設けられた基地局から着信に対して応答があったことを通知するパケットを受信したか否かに応じて、着信に対して応答が有ったか否かを判断する（Ｓ２０）。応答が有ったと判断した場合（Ｓ２０：ＹＥＳ）、着信があることをコンピュータ４へ通知する必要がないので、制御部１０は、上述した処理を終了する。【０１０３】
応答が無いと判断した場合（Ｓ２０：ＮＯ）、制御部１０は、タイマ１０ａによる計時処理の結果、所定時間が経過したか否かを判断し（Ｓ２１）、所定時間が経過していない場合（Ｓ２１：ＮＯ）、ステップＳ２０へ処理を戻す。所定時間が経過した場合（Ｓ２１：ＹＥＳ）、即ち、所定時間内に着信に対する応答がなかった場合、制御部１０は、ステップＳ１８で生成した表示用データを第１通信部１４からコンピュータ４へ送信し（Ｓ２２）、処理を終了する。【０１０４】
上述したように、着信のある携帯電話機１から表示用データを送信されたコンピュータ４において、制御部４０は、ＨＤＤ４３に記憶してある通知画面表示処理プログラム４３ａをＲＡＭ４２に読み出して順次実行し、図６に示すような通知画面を表示部４５に表示させる。これにより、携帯電話機１に着信があることをコンピュータ４のユーザに通知することができる。【０１０５】
上述した処理により、本実施形態２では、携帯電話機１に対する着信があった場合、携帯電話機１が着信を検知してから所定時間を経過したときに、着信に対してまだ応答がされていない場合にのみ、着信があることをコンピュータ４へ通知する。従って、着信が検知されてから所定時間内に携帯電話機１の所有者又は同じグループに属する他の携帯電話機１の所有者によって応答された場合には、コンピュータ４への通知処理を行なわないので、不要な通知処理の発生を抑制することができる。【０１０６】
（実施形態３）
以下に、本発明に係る電話装置を、実施形態３である携帯電話機を示す図面に基づいて詳述する。図１０は実施形態３に係る携帯電話機を含む通信システムの構成例を示す模式図である。なお、本実施形態３の通信システム１００は、上述した実施形態１の通信システム１００を構成する各装置によって実現可能であるので、実施形態１の携帯電話機１、無線ＡＰ２、呼制御サーバ３及びコンピュータ４により構成されるものとして説明する。【０１０７】
本実施形態３の携帯電話機１は、図２に示した各構成のほかに、電池制御部１９及び姿勢検出部２０を備えており、電池制御部１９及び姿勢検出部２０はバス１ａに接続されている。電池制御部１９は、図示しない電源コンセント（ＡＣ電源）及び電池１９ａに接続されており、電源コンセントから供給される電力を電池１９ａへ供給して電池１９ａを充電する。また、電池制御部１９は、電源コンセント又は電池１９ａから供給される電力を携帯電話機１を構成するハードウェア各部へ供給する。【０１０８】
姿勢検出部２０は、例えばジャイロセンサを備え、携帯電話機１の姿勢を検出する。図１１は携帯電話機１の姿勢を説明するための模式図である。ここでの携帯電話機１の姿勢とは、図１１（ａ）〜（ｆ）のそれぞれに示した状態をいう。具体的には、図１１（ａ）に示すように、直方体形状の携帯電話機１において、表示部１７が設けられた側面を上面にして例えば机上に載置されている状態を状態１とし、図１１（ｂ）に示すように、表示部１７が設けられた側面を下面にして例えば机上に載置されている状態を状態２とする。【０１０９】
また、図１１（ｃ）に示すように、表示部１７が設けられた側面の長辺を一辺とする側面を上面にし、二つ折り式の携帯電話機１の折り部分を図面における右側に配置し、表示部１７が設けられた側面を図面における奥方向へ向けて例えば机上に載置されている状態を状態３とする。図１１（ｄ）に示すように、表示部１７が設けられた側面の長辺を一辺とする側面を上面にし、二つ折り式の携帯電話機１の折り部分を図面における右側に配置し、表示部１７が設けられた側面を図面における手前方向へ向けて例えば机上に載置されている状態を状態４とする。【０１１０】
更に、図１１（ｅ）に示すように、二つ折り式の携帯電話機１の折り部分であり、表示部１７が設けられた側面の短辺を一辺とする側面を上面にして例えば机上に載置されている状態を状態５とする。図１１（ｆ）に示すように、二つ折り式の携帯電話機１の折り部分であり、表示部１７が設けられた側面の短辺を一辺とする側面を下面にして例えば机上に載置されている状態を状態６とする。【０１１１】
なお、本実施形態３の携帯電話機１は、折りたたみ式の携帯電話機であり、図１１に示したような各姿勢をとり得るが、折りたたみ式ではない携帯電話機を携帯電話機１に利用する場合には、折りたたみ式ではない携帯電話機がとり得る姿勢をそれぞれ設定すればよい。【０１１２】
姿勢検出部２０は、上述したような携帯電話機１の机上への載置状態だけでなく、電池制御部１９が電源コンセントから供給される電力を電池１９ａに充電している状態であるか否かも検出する。なお、姿勢検出部（状態検出手段）２０は、制御部１０が、ネットワークＬ１又は公衆電話回線網Ｎを介して着信があることを通知するパケットを受信し、自身に対して着信があることを検知した場合、制御部１０からの指示に従って、上述したような携帯電話機１の姿勢及び充電中であるか否かを検出する。【０１１３】
本実施形態３の携帯電話機１は、着信を検知した場合に着信音を鳴動させないマナーモード機能を備えている。なお、携帯電話機１は、マナーモード機能を実行させるか否かを所有者による設定で変更できるように構成されており、所有者によって設定が変更される都度、設定された情報、具体的には、マナーモードが設定されているか否かを示す情報がメモリ部１３に更新して格納される。【０１１４】
また、本実施形態３の携帯電話機１は、メモリ部１３に、図１２に示すような発信者テーブル１３ａ、図１３に示すような状態テーブル１３ｃが格納されている。本実施形態３の発信者テーブル１３ａには、図１２に示すように、予め登録された発信者毎に、発信者が所有する携帯電話機１の電話番号、会社名及び氏名を含む発信者情報等が対応付けてそれぞれ登録してある。発信者テーブル１３ａの登録内容は、携帯電話機１の所有者が操作部１６を介して各発信者に関する情報を追加又は修正する都度、制御部１０によって追加又は修正される。【０１１５】
状態テーブル１３ｃには、図１３に示すように、予め設定された携帯電話機１の状態毎に、状態情報及び通知処理の要否等が対応付けてそれぞれ登録してある。なお、状態情報としては、携帯電話機１の姿勢に関する情報と、マナーモードに関する情報とがある。携帯電話機１の姿勢に関する情報としては、携帯電話機１が充電中である状態（状態０）、及び上述したような携帯電話機１の姿勢（状態１〜６）がある。マナーモードに関する情報としては、設定及び非設定がある。通知処理の要否の欄には、状態情報が示す各状態に応じて、着信があった場合にコンピュータ４への通知処理を行なう必要があるか否かが登録されている。状態テーブル１３ｃの登録内容は、携帯電話機１の所有者が操作部１６を介して各状態に対する通知処理の要否を設定又は修正する都度、制御部１０によって追加又は修正される。【０１１６】
本実施形態３の通信システム１００において、携帯電話機１の制御部１０は、上述した実施形態１，２と同様に、ネットワークＬ１又は公衆電話回線網Ｎを介して他の携帯電話機１からの着信を検知した場合、発信者を特定する。そして、制御部１０は、姿勢検出部２０によって、携帯電話機１の姿勢が上述した状態０〜６のいずれであるかを検出する。また、制御部１０は、メモリ部１３に記憶してある情報に基づいて、マナーモードの設定状態、具体的には、設定されているか否かを検出する。【０１１７】
制御部１０は、状態テーブル１３ｃの登録内容に基づいて、検出した携帯電話機１の姿勢（状態０〜６）に対する通知処理の要否を判断すると共に、検出したマナーモードの設定状態に対する通知処理の要否を判断する。そして、制御部１０は、検出した携帯電話機１の姿勢に対して通知処理が必要であると状態テーブル１３ｃに登録されており、検出したマナーモードの設定状態に対して通知処理が必要であると状態テーブル１３ｃに登録されていた場合、着信があることをコンピュータ４へ通知すると判定する。【０１１８】
着信がある旨をコンピュータ４へ通知すると判定した場合、制御部１０は、発信者テーブル１３ａから発信者情報を読み出すと共に、メモリ部１３から自身の携帯電話機１の所有者の氏名を読み出す。そして、制御部１０は、図６に示すような通知画面を表示させるための表示用データを生成し、第１通信部１４を介してコンピュータ４へ送信する。これにより、コンピュータ４は、携帯電話機１から受信した表示用データに基づいて、図６に示すような通知画面を表示部４５に表示させることができる。【０１１９】
以下に、本実施形態３の通信システム１００において、携帯電話機１への着信をコンピュータ４へ通知する処理についてフローチャートに基づいて説明する。図１４は携帯電話機１による着信の通知処理の手順を示すフローチャートである。なお、以下の処理は、携帯電話機１のＲＯＭ１１又はメモリ部１３に記憶してある制御プログラムに従って制御部１０によって実行される。【０１２０】
携帯電話機１の制御部１０は、呼制御サーバ３から着信を通知するパケットを受信した場合、又は公衆電話回線網Ｎに設けられた基地局から着信を通知するパケットを受信した場合、受信したパケットを解析し、発信側の携帯電話機１の電話番号を取得する（Ｓ３１）。制御部１０は、携帯電話機１の姿勢を姿勢検出部２０によって検出する（Ｓ３２）。具体的には、携帯電話機１が充電中であるか否か、図１１に示したいずれの姿勢であるか否かを検出する。制御部１０は、メモリ部１３に記憶してある情報に基づいて、マナーモードの設定状態を検出する（Ｓ３３）。具体的には、マナーモードに設定されているか否かを検出する。【０１２１】
制御部１０は、ステップＳ３２で検出した姿勢に対する通知処理の要否として、状態テーブル１３ｃに「要」が登録されているか否かを判断し（Ｓ３４）、「要」が登録されていない場合（Ｓ３４：ＮＯ）、即ち「否」が登録されている場合、上述した着信の通知処理を終了する。姿勢に対して状態テーブル１３ｃに「要」が登録されている場合（Ｓ３４：ＹＥＳ）、制御部１０は、ステップＳ３３で検出したマナーモードの設定状態に対する通知処理の要否として、状態テーブル１３ｃに「要」が登録されているか否かを判断し（Ｓ３５）、「要」が登録されていない場合（Ｓ３５：ＮＯ）、即ち「否」が登録されている場合、上述した着信の通知処理を終了する。【０１２２】
マナーモードの設定状態に対して状態テーブル１３ｃに「要」が登録されている場合（Ｓ３５：ＹＥＳ）、即ち、姿勢に対してもマナーモードの設定状態に対しても「要」が登録されている場合、制御部１０は、自身の携帯電話機１に対して着信があることを通知するための表示用データを生成して第１通信部１４からコンピュータ４へ送信し（Ｓ３６）、処理を終了する。【０１２３】
上述したように、着信のある携帯電話機１から表示用データを送信されたコンピュータ４において、制御部４０は、ＨＤＤ４３に記憶してある通知画面表示処理プログラム４３ａをＲＡＭ４２に読み出して順次実行し、図６に示すような通知画面を表示部４５に表示させる。これにより、携帯電話機１に着信があることをコンピュータ４のユーザに通知することができる。【０１２４】
上述した処理により、本実施形態３では、携帯電話機１が充電中であるか、又は所有者によって放置されている可能性の高い姿勢であり、更にマナーモードに設定されている状態において着信があった場合にのみ、着信があることをコンピュータ４へ通知する。従って、所有者が応答する可能性の低い状態である場合に、着信があることをコンピュータ４を介して確実に把握することができる。また、所有者が応答する可能性の高い状態である場合には、着信があることをコンピュータ４へ通知しないことにより、コンピュータ４への着信の通知処理の実行頻度の増大を抑制することができ、コンピュータ４のユーザへの負担を軽減することができる。【０１２５】
上述した実施形態３では、携帯電話機１が、図１３に示す状態テーブル１３ｃの登録内容に基づいて、充電中である場合、又は図１１（ａ）及び図１１（ｂ）に示す姿勢である場合に所有者によって放置されている可能性が高いとしてコンピュータ４への着信の通知処理を行なう構成について説明した。しかし、例えば、所定時間以上同じ姿勢を継続している場合に所有者によって放置されている可能性が高いとしてコンピュータ４への着信の通知処理を行なうように構成することもできる。【０１２６】
この場合、携帯電話機１の制御部１０は、例えば、所定時間間隔で姿勢検出部２０によって携帯電話機１の載置状態を検出し、検出した載置状態が前回の載置状態と同じであれば所定時間を加算していく。これにより、携帯電話機１が同じ姿勢を継続している時間を計測することができ、このように計測された時間が所定時間以上なった場合に携帯電話機１が放置されていると判断し、このような状態のときに着信があった場合、着信があることをコンピュータ４へ通知すればよい。【０１２７】
本実施形態３の携帯電話機１は、上述した実施形態１の携帯電話機１と同様に、ネットワークＬ１を介した着信又は公衆電話回線網Ｎを介した着信がある都度、着信があることをコンピュータ４へ通知する構成であった。しかし、実施形態２の携帯電話機１のように、着信を検知してから着信を通知するための表示用データをコンピュータ４へ送信するまでの間に所定時間（例えば１０秒程度）待機するように構成してもよい。この場合、着信が検知されてから所定時間内に携帯電話機１の所有者又は同じグループに属する他の携帯電話機１の所有者によって応答された場合には、コンピュータ４への通知処理を行なわないので、不要な通知処理の発生を抑制することができる。【０１２８】
上述した実施形態３では、着信があった場合に、携帯電話機１の状態に応じて着信があることをコンピュータ４へ通知するか否かを判定する構成の携帯電話機１を例に説明した。また、上述した実施形態１，２では、着信があった場合に、発信者に対して予め設定された公私の別及び携帯電話機１の現在位置に対して予め設定された公私の別に応じて着信があることをコンピュータ４へ通知するか否かを判定する構成の携帯電話機１を例に説明した。しかし、本発明に係る電話装置は、実施形態１の携帯電話機１と実施形態３の携帯電話機１とを組み合わせた構成の携帯電話機１に適用することもできる。【０１２９】
具体的には、携帯電話機１の制御部１０は、携帯電話機１の状態に基づいてコンピュータ４への着信の通知処理を行なうと判定した場合、発信者に対して予め設定された公私の別及び携帯電話機１の現在位置に対して予め設定された公私の別に基づいてコンピュータ４への着信の通知処理を行なうか否かを判定する。ここで、コンピュータ４への通知処理を行なうと判定した場合に、制御部１０は、着信があることをコンピュータ４へ通知すればよい。なお、携帯電話機１の状態に基づいてコンピュータ４への着信の通知処理を行なうか否かの判定処理、発信者に対して予め設定された公私の別及び携帯電話機１の現在位置に対して予め設定された公私の別に基づいてコンピュータ４への着信の通知処理を行なうか否かの判定処理は、実施形態１，３において説明した各処理と同様であるので、詳細についての説明は省略する。【０１３０】
（実施形態４）
以下に、本発明に係る電話装置を、実施形態４である携帯電話機を示す図面に基づいて詳述する。なお、本実施形態４の通信システム１００は、上述した実施形態１の通信システム１００を構成する各装置によって実現可能であるので、実施形態１の携帯電話機１、無線ＡＰ２、呼制御サーバ３及びコンピュータ４により構成されるものとして説明する。【０１３１】
上述した実施形態１の携帯電話機１は、着信があった場合、所定の判断処理を行なうことによって着信があることをコンピュータ４へ通知するか否かを判定し、通知すると判定した場合、図６に示すような通知画面を表示させるための表示用データを生成して所定のコンピュータ４へ送信する構成であった。【０１３２】
本実施形態４の携帯電話機１は、着信があることをコンピュータ４へ通知すると判定した場合、発信側の携帯電話機１、即ち発信者に応じた通知先のコンピュータ４へ着信があることを通知することができるように構成されている。従って、携帯電話機１の所有者は、発信者に応じて異なるコンピュータ４によって着信の有無を把握することができる。【０１３３】
本実施形態４の携帯電話機１は、図１５に示すような発信者テーブル１３ａがメモリ部１３に格納されている。発信者テーブル（装置テーブル）１３ａには、図１５に示すように、予め登録された発信者毎に、発信者が所有する携帯電話機１の電話番号（電話装置情報）、会社名及び氏名を含む発信者情報、公私の別、通知先情報（通信装置情報）等が対応付けてそれぞれ登録してある。【０１３４】
なお、通知先情報の欄には、各発信者に対して公私の別の欄に登録された「公」、「私」のそれぞれに対応して通信先の情報が登録される。また、通知先情報の欄には、各発信者に対して１つの通信先が登録されてもよいし、複数の通信先が登録されてもよく、ネットワークＬ１を介して接続してあるコンピュータ４だけでなく、インターネットＩを介して接続してあるコンピュータを通信先として登録してもよい。発信者テーブル１３ａの登録内容は、携帯電話機１の所有者が操作部１６を介して各発信者に関する情報を追加又は修正する都度、制御部１０によって追加又は修正される。【０１３５】
本実施形態４の通信システム１００において、携帯電話機１の制御部１０は、上述した実施形態１と同様に、所定の時間間隔で第１通信部１４を介して最寄の無線ＡＰ２と通信を行なっており、最寄の無線ＡＰ２を検出する都度、最寄の無線ＡＰ２を識別する無線ＡＰ情報をメモリ部１３に逐次更新して記憶させておく。【０１３６】
制御部１０は、ネットワークＬ１又は公衆電話回線網Ｎを介して他の携帯電話機１からの着信を検知した場合、発信者を特定する。また、制御部１０は、発信側の携帯電話機１の電話番号に対する公私の別を発信者テーブル１３ａの登録内容に基づいて判断すると共に、メモリ部１３に記憶してある無線ＡＰ情報によって特定される現在の最寄の無線ＡＰ２に対する公私の別を位置テーブル１３ｂの登録内容に基づいて判断する。そして、制御部１０は、これらの判断結果に基づいて、着信があることをコンピュータ４へ通知すると判定した場合、図６に示すような通知画面を表示させるための表示用データを生成する。【０１３７】
そして、制御部１０は、発信側の携帯電話機１の電話番号に対応して発信者テーブル１３ａに登録してある通知先情報を読み出し、読み出した通知先情報が示す通知先のコンピュータ４へ第１通信部１４を介して表示用データへ送信する。これにより、コンピュータ４は、携帯電話機１から受信した表示用データに基づいて、図６に示すような通知画面を表示部４５に表示させることができる。【０１３８】
なお、制御部１０は、発信側の携帯電話機１の電話番号に対して発信者テーブル１３ａに「公」が登録されており、現在の最寄の無線ＡＰ２に対して位置テーブル１３ｂに「公」が登録されている場合、発信者テーブル１３ａの公私の欄の「公」に対応して登録してある通知先情報を読み出す。また、制御部１０は、発信側の携帯電話機１の電話番号に対して発信者テーブル１３ａに「私」が登録されており、現在の最寄の無線ＡＰ２に対して位置テーブル１３ｂに「私」が登録されている場合、発信者テーブル１３ａの公私の欄の「私」に対応して登録してある通知先情報を読み出す。【０１３９】
以下に、本実施形態４の通信システム１００において、携帯電話機１への着信をコンピュータ４へ通知する処理についてフローチャートに基づいて説明する。図１６は携帯電話機１による着信の通知処理の手順を示すフローチャートである。なお、以下の処理は、携帯電話機１のＲＯＭ１１又はメモリ部１３に記憶してある制御プログラムに従って制御部１０によって実行される。【０１４０】
携帯電話機１の制御部１０は、呼制御サーバ３から着信を通知するパケットを受信した場合、又は公衆電話回線網Ｎに設けられた基地局から着信を通知するパケットを受信した場合、受信したパケットを解析し、発信側の携帯電話機１の電話番号を取得する（Ｓ４１）。制御部１０は、取得した電話番号に対する公私の別、即ち発信者に対する公私の別を発信者テーブル１３ａの登録内容に基づいて判断する（Ｓ４２）。また制御部１０は、メモリ部１３に記憶してある無線ＡＰ情報が示す現在の最寄の無線ＡＰ２に対する公私の別、即ち携帯電話機１の現在位置に対する公私の別を位置テーブル１３ｂの登録内容に基づいて判断する（Ｓ４３）。【０１４１】
制御部１０は、ステップＳ４２の判断処理において、発信者に対して発信者テーブル１３ａに「公」が登録されているか否かを判断し（Ｓ４４）、「公」が登録されている場合（Ｓ４４：ＹＥＳ）、ステップＳ４３の判断処理において、現在位置に対して位置テーブル１３ｂに「公」が登録されているか否かを判断する（Ｓ４５）。【０１４２】
現在位置に対して「公」が登録されている場合（Ｓ４５：ＹＥＳ）、即ち、発信者に対しても現在位置に対しても「公」が登録されている場合、制御部１０は、ステップＳ４１で取得した発信側の携帯電話機１の電話番号に対応する通知先情報を発信者テーブル１３ａから読み出す（Ｓ４７）。制御部１０は、自身の携帯電話機１に対して着信があることを通知するための表示用データを生成し、発信者テーブル１３ａから読み出した通知先情報が示す通知先のコンピュータ４へ送信し（Ｓ４８）、処理を終了する。【０１４３】
現在位置に対して「公」が登録されていない場合（Ｓ４５：ＮＯ）、即ち、発信者に対しては「公」が登録されており、現在位置に対しては「私」が登録されている場合、制御部１０は、上述した着信の通知処理を終了する。【０１４４】
ステップＳ４４で、発信者に対して発信者テーブル１３ａに「公」が登録されていない場合（Ｓ４４：ＮＯ）、制御部１０は、ステップＳ４３の判断処理において、現在位置に対して位置テーブル１３ｂに「公」が登録されているか否かを判断する（Ｓ４６）。現在位置に対して「公」が登録されている場合（Ｓ４６：ＹＥＳ）、即ち、発信者に対しては「私」が登録されており、現在位置に対しては「公」が登録されている場合、制御部１０は、上述した着信の通知処理を終了する。【０１４５】
ステップＳ４６で、現在位置に対して「公」が登録されていない場合（Ｓ４６：ＮＯ）、即ち、発信者に対しても現在位置に対しても「私」が登録されている場合、制御部１０は、ステップＳ４１で取得した発信側の携帯電話機１の電話番号に対応する通知先情報を発信者テーブル１３ａから読み出す（Ｓ４７）。制御部１０は、自身の携帯電話機１に対して着信があることを通知するための表示用データを生成し、発信者テーブル１３ａから読み出した通知先情報が示す通知先のコンピュータ４へ送信し（Ｓ４８）、処理を終了する。【０１４６】
上述したように、着信のある携帯電話機１から表示用データを送信されたコンピュータ４において、制御部４０は、ＨＤＤ４３に記憶してある通知画面表示処理プログラム４３ａをＲＡＭ４２に読み出して順次実行し、図６に示すような通知画面を表示部４５に表示させる。これにより、携帯電話機１に着信があることをコンピュータ４のユーザに通知することができる。【０１４７】
上述した処理により、本実施形態４では、携帯電話機１に対する着信があった場合、発信者に対して予め設定された通知先のコンピュータ４へ着信があることを通知する。従って、携帯電話機１の所有者は、発信者に応じて所望のコンピュータ４によって着信の有無を知ることができる。また、携帯電話機１の所有者が応答できない場合には、所望のコンピュータ４のユーザに着信の有無を通知することができる。また、例えば、私用電話の着信を通知する通知先として、他のユーザが使用しないコンピュータ、又はプライベートな情報が公開されてもよいコンピュータを設定することにより、不用意にプライベートな情報を他人に公開することがないのでプライバシーを十分に保護することができる。【０１４８】
本実施形態４の携帯電話機１は、上述した実施形態１の携帯電話機１と同様に、ネットワークＬ１を介した着信又は公衆電話回線網Ｎを介した着信がある都度、着信があることをコンピュータ４へ通知する構成であった。しかし、実施形態２の携帯電話機１のように、着信を検知してから着信を通知するための表示用データをコンピュータ４へ送信するまでの間に所定時間（例えば１０秒程度）待機するように構成してもよい。この場合、着信が検知されてから所定時間内に携帯電話機１の所有者又は同じグループに属する他の携帯電話機１の所有者によって応答された場合には、コンピュータ４への通知処理を行なわないので、不要な通知処理の発生を抑制することができる。【０１４９】
上述した実施形態４では、着信があった場合に、発信者に対して予め設定された公私の別及び携帯電話機１の現在位置に対して予め設定された公私の別に応じて着信があることをコンピュータ４へ通知するか否かを判定する構成の携帯電話機１を例に説明した。本実施形態４は、上述した実施形態３においても適用することができる。具体的には、携帯電話機１の状態に応じて着信があることをコンピュータ４へ通知するか否かを判定し、通知すると判定した場合に、発信者に応じた通知先のコンピュータ４へ通知するように携帯電話機１を構成することもできる。【０１５０】
（実施形態５）
以下に、本発明に係る電話装置を、実施形態５である携帯電話機を示す図面に基づいて詳述する。なお、本実施形態５の通信システム１００は、上述した実施形態１の通信システム１００を構成する各装置によって実現可能であるので、実施形態１の携帯電話機１、無線ＡＰ２、呼制御サーバ３及びコンピュータ４により構成されるものとして説明する。【０１５１】
上述した実施形態１の携帯電話機１は、着信があった場合、所定の判断処理を行なうことによって着信があることをコンピュータ４へ通知するか否かを判定し、通知すると判定した場合、図６に示すような通知画面を表示させるための表示用データを生成して所定のコンピュータ４へ送信する構成であった。【０１５２】
本実施形態５の携帯電話機１は、着信があった場合、その時点での携帯電話機１の現在位置に応じたコンピュータ４へ着信があることを通知するように構成されている。従って、携帯電話機１の所有者は、自身の現在位置に応じて異なるコンピュータ４によって着信の有無を把握することができる。【０１５３】
本実施形態５の携帯電話機１は、図１７に示すような通知先テーブル１３ｄがメモリ部１３に格納されている。通知先テーブル１３ｄには、図１７に示すように、ネットワークＬ１に接続されている無線ＡＰ２，２…を識別するための無線ＡＰ情報に対応付けて、通知先情報が登録してある。なお、通知先情報の欄は、複数のコンピュータ４が登録されてもよく、ネットワークＬ１を介して接続してあるコンピュータ４だけでなく、インターネットＩを介して接続してあるコンピュータを通信先として登録してもよい。通知先テーブル１３ｄの登録内容は、携帯電話機１の所有者が操作部１６を介して各無線ＡＰ２，２…の設置場所に応じた通知先を追加又は修正する都度、制御部１０によって追加又は修正される。【０１５４】
本実施形態５の通信システム１００において、携帯電話機１の制御部１０は、上述した実施形態１と同様に、所定の時間間隔で第１通信部１４を介して最寄の無線ＡＰ２と通信を行なっており、最寄の無線ＡＰ２を検出する都度、最寄の無線ＡＰ２を識別する無線ＡＰ情報をメモリ部１３に逐次更新して記憶させておく。【０１５５】
制御部１０は、ネットワークＬ１又は公衆電話回線網Ｎを介して他の携帯電話機１からの着信を検知した場合、発信者を特定する。また、制御部１０は、この時点でメモリ部１３に記憶してある無線ＡＰ情報に基づいて、無線ＡＰ情報によって識別される無線ＡＰ２の設置場所、即ち携帯電話機１の所有者の現在位置に対応する通知先情報を通知先テーブル１３ｄから読み出す。そして、制御部１０は、図６に示すような通知画面を表示させるための表示用データを生成し、生成した表示用データを、読み出した通知先情報が示す通知先のコンピュータ４へ第１通信部１４を介して送信する。これにより、コンピュータ４は、携帯電話機１から受信した表示用データに基づいて、図６に示すような通知画面を表示部４５に表示させることができる。【０１５６】
以下に、本実施形態５の通信システム１００において、携帯電話機１への着信をコンピュータ４へ通知する処理についてフローチャートに基づいて説明する。図１８は携帯電話機１による着信の通知処理の手順を示すフローチャートである。なお、以下の処理は、携帯電話機１のＲＯＭ１１又はメモリ部１３に記憶してある制御プログラムに従って制御部１０によって実行される。【０１５７】
携帯電話機１の制御部１０は、呼制御サーバ３から着信を通知するパケットを受信した場合、又は公衆電話回線網Ｎに設けられた基地局から着信を通知するパケットを受信した場合、受信したパケットを解析し、発信側の携帯電話機１の電話番号を取得する（Ｓ５１）。制御部１０は、メモリ部１３に記憶してある無線ＡＰ情報が示す現在の最寄の無線ＡＰ２に対する通知先情報、即ち携帯電話機１の現在位置に対する通知先情報を通知先テーブル１３ｄから読み出す（Ｓ５２）。【０１５８】
制御部１０は、自身の携帯電話機１に対して着信があることを通知するための表示用データを生成し、通知先テーブル１３ｄから読み出した通知先情報が示す通知先のコンピュータ４へ送信し（Ｓ５３）、処理を終了する。【０１５９】
上述したように、着信のある携帯電話機１から表示用データを送信されたコンピュータ４において、制御部４０は、ＨＤＤ４３に記憶してある通知画面表示処理プログラム４３ａをＲＡＭ４２に読み出して順次実行し、図６に示すような通知画面を表示部４５に表示させる。これにより、携帯電話機１に着信があることをコンピュータ４のユーザに通知することができる。【０１６０】
上述した処理により、本実施形態５では、携帯電話機１に対する着信があった場合、携帯電話機１の所有者の現在位置に対して予め設定された通知先のコンピュータ４へ着信があることを通知する。従って、携帯電話機１の所有者は、現在位置に応じて所望のコンピュータ４によって着信の有無を知ることができる。また、携帯電話機１の所有者が応答できない場合には、所望のコンピュータ４のユーザに着信の有無を通知することができる。また、例えば、私用電話の着信を通知する通知先として、他のユーザが使用しないコンピュータ、又はプライベートな情報が公開されてもよいコンピュータを設定することにより、不用意にプライベートな情報を他人に公開することがないのでプライバシーを十分に保護することができる。【０１６１】
本発明は、本実施形態５の携帯電話機１の構成と、上述した実施形態１，３の携帯電話機１の構成とを組み合わせた携帯電話機１においても適用することができる。具体的には、上述した実施形態１の携帯電話機１と本実施形態５の携帯電話機１とを組み合わせた場合、携帯電話機１は、発信者に対する公私の別及び携帯電話機１の現在位置に対する公私の別に基づいて、着信があることをコンピュータ４へ通知するか否かを判定し、通知すると判定した場合、その時点での携帯電話機１の現在位置に応じた通知先のコンピュータ４を特定する。そして、携帯電話機１は、特定した通知先のコンピュータ４へ着信があることを通知する。【０１６２】
また、上述した実施形態３の携帯電話機１と本実施形態５の携帯電話機１とを組み合わせた場合、携帯電話機１は、携帯電話機１の状態に応じて着信があることをコンピュータ４へ通知するか否かを判定し、通知すると判定した場合、その時点での携帯電話機１の現在位置に応じた通知先のコンピュータ４を特定する。そして、携帯電話機１は、特定した通知先のコンピュータ４へ着信があることを通知する。【０１６３】
（実施形態６）
以下に、本発明に係る電話装置及び通信システムを、実施形態６である携帯電話機及び通信システムを示す図面に基づいて詳述する。なお、本実施形態６の通信システム１００は、上述した実施形態１の通信システム１００を構成する各装置によって実現可能であるので、実施形態１の携帯電話機１、無線ＡＰ２、呼制御サーバ３及びコンピュータ４により構成されるものとして説明する。【０１６４】
上述した実施形態１〜５の通信システム１００では、携帯電話機１が、着信があった場合、所定の判断処理を行なうことによって着信があることをコンピュータ４へ通知するか否かを判定し、通知すると判定した場合、図６に示すような通知画面を表示させるための表示用データを生成し、生成した表示用データを所定のコンピュータ４へ送信する構成であった。【０１６５】
本実施形態６の通信システムでは、携帯電話機１が、着信があった場合、所定の判断処理を行なうことによって着信があることをコンピュータ４へ通知するか否かを判定し、通知すると判定した場合、図６に示すような通知画面を表示させるための表示用データを生成し、生成した表示用データを所定のコンピュータ４へ送信する指示を呼制御サーバ３へ送出する。そして、呼制御サーバ３が、携帯電話機１から取得した指示に従って表示用データを所定のコンピュータ４へ送信する。このような構成により、コンピュータ４への通知処理を呼制御サーバ３によって行なうことができるので携帯電話機１における処理負担を軽減することができる。【０１６６】
図１９は呼制御サーバ３の構成例を示す模式図である。呼制御サーバ３は、制御部３０、ＲＯＭ３１、ＲＡＭ３２、ＨＤＤ３３、ネットワークＬ１に接続するための通信部３４等を備えており、これらのハードウェア各部はバス３ａを介して相互に接続されている。【０１６７】
制御部３０は、ＣＰＵ又はＭＰＵ等で構成され、ＲＯＭ３１又はＨＤＤ３３に予め記憶してある制御プログラムを適宜ＲＡＭ３２に読み出して実行すると共に、上述したハードウェア各部の動作を制御する。ＲＯＭ３１には、呼制御サーバ３を本発明の制御装置として動作させるために必要な種々の制御プログラムが予め格納されている。ＲＡＭ３２はＳＲＡＭ又はフラッシュメモリ等で構成されており、制御部３０による制御プログラムの実行時に発生する種々のデータを一時的に記憶する。【０１６８】
ＨＤＤ３３は大容量の記憶装置である。ＨＤＤ３３には、呼制御サーバ３を本発明の制御装置として動作させるために必要な種々の制御プログラム、図２０に示すような通知先テーブル３３ａ等が予め格納されている。通知先テーブル３３ａには、図２０に示すように、予め登録された発信者毎に、発信者が所有する携帯電話機１の電話番号、会社名及び氏名を含む発信者情報、通知先情報等が対応付けてそれぞれ登録してある。【０１６９】
通知先情報の欄には、複数のコンピュータ４が登録されていてもよく、ネットワークＬ１を介して接続してあるコンピュータ４だけでなく、インターネットＩを介して接続してあるコンピュータを通信先として登録しておいてもよい。通知先テーブル３３ａの登録内容は、呼制御サーバ３の操作が可能な管理者が操作部（図示せず）を介して各発信者に関する情報を追加又は修正する都度、又は、携帯電話機１の所有者が携帯電話機１を介して各発信者に関する情報を追加又は修正する都度、制御部３０によって追加又は修正される。【０１７０】
本実施形態６の通信システム１００において、携帯電話機１の制御部１０は、上述した実施形態１と同様に、所定の時間間隔で第１通信部１４を介して最寄の無線ＡＰ２と通信を行なっており、最寄の無線ＡＰ２を検出する都度、最寄の無線ＡＰ２を識別する無線ＡＰ情報をメモリ部１３に逐次更新して記憶させておく。【０１７１】
制御部１０は、ネットワークＬ１又は公衆電話回線網Ｎを介して他の携帯電話機１からの着信を検知した場合、発信者を特定する。制御部１０は、発信側の携帯電話機１の電話番号に対する公私の別を発信者テーブル１３ａの登録内容に基づいて判断すると共に、メモリ部１３に記憶してある無線ＡＰ情報によって特定される現在の最寄の無線ＡＰ２に対する公私の別を位置テーブル１３ｂの登録内容に基づいて判断する。そして、制御部１０は、これらの判断結果に基づいて、着信があることをコンピュータ４へ通知すると判定した場合、図６に示すような通知画面を表示させるための表示用データを生成する。【０１７２】
制御部１０は、特定した発信者の携帯電話機１の電話番号及び発信者情報と共に、生成した表示用データを通知先のコンピュータ４へ送信する指示を第１通信部１４を介して呼制御サーバ３へ送出する。呼制御サーバ３の制御部３０は、携帯電話機１から表示用データのコンピュータ４への送信指示を取得した場合、取得した発信者の携帯電話機１の電話番号及び発信者情報に対応する通知先情報を通知先テーブル３３ａから読み出す。制御部３０は、通知先テーブル３３ａから読み出した通知先情報が示す通知先のコンピュータ４へ、携帯電話機１から取得した表示用データを送信する。これにより、コンピュータ４は、呼制御サーバ３から受信した表示用データに基づいて、図６に示すような通知画面を表示部４５に表示させることができる。【０１７３】
以下に、本実施形態６の通信システム１００において、携帯電話機１への着信をコンピュータ４へ通知する処理についてフローチャートに基づいて説明する。図２１は携帯電話機１による着信の通知処理の手順を示すフローチャートである。なお、以下の処理は、携帯電話機１のＲＯＭ１１又はメモリ部１３に記憶してある制御プログラムに従って制御部１０によって実行されると共に、呼制御サーバ３のＲＯＭ３１又はＨＤＤ３３に記憶してある制御プログラムに従って制御部３０によって実行される。【０１７４】
携帯電話機１の制御部１０は、呼制御サーバ３から着信を通知するパケットを受信した場合、又は公衆電話回線網Ｎに設けられた基地局から着信を通知するパケットを受信した場合、受信したパケットを解析し、発信側の携帯電話機１の電話番号を取得する（Ｓ６１）。制御部１０は、取得した電話番号に対する公私の別、即ち発信者に対する公私の別を発信者テーブル１３ａの登録内容に基づいて判断する（Ｓ６２）。【０１７５】
制御部１０は、メモリ部１３に記憶してある無線ＡＰ情報が示す現在の最寄の無線ＡＰ２に対する公私の別、即ち携帯電話機１の現在位置に対する公私の別を位置テーブル１３ｂの登録内容に基づいて判断する（Ｓ６３）。制御部１０は、ステップＳ６２の判断処理において、発信者に対して発信者テーブル１３ａに「公」が登録されているか否かを判断し（Ｓ６４）、「公」が登録されている場合（Ｓ６４：ＹＥＳ）、ステップＳ６３の判断処理において、現在位置に対して位置テーブル１３ｂに「公」が登録されているか否かを判断する（Ｓ６５）。【０１７６】
現在位置に対して「公」が登録されている場合（Ｓ６５：ＹＥＳ）、即ち、発信者に対しても現在位置に対しても「公」が登録されている場合、制御部１０は、自身の携帯電話機１に対して着信があることを通知するための表示用データを生成し（Ｓ６７）、生成した表示用データをコンピュータ４へ送信する指示を、発信者の携帯電話機１の電話番号及び発信者情報と共に第１通信部１４から呼制御サーバ３へ送出する（Ｓ６８）。【０１７７】
現在位置に対して「公」が登録されていない場合（Ｓ６５：ＮＯ）、即ち、発信者に対しては「公」が登録されており、現在位置に対しては「私」が登録されている場合、制御部１０は、上述した着信の通知処理を終了する。ステップＳ６４で、発信者に対して発信者テーブル１３ａに「公」が登録されていない場合（Ｓ６４：ＮＯ）、制御部１０は、ステップＳ６３の判断処理において、現在位置に対して位置テーブル１３ｂに「公」が登録されているか否かを判断する（Ｓ６６）。【０１７８】
現在位置に対して「公」が登録されている場合（Ｓ６６：ＹＥＳ）、即ち、発信者に対しては「私」が登録されており、現在位置に対しては「公」が登録されている場合、制御部１０は、上述した着信の通知処理を終了する。【０１７９】
ステップＳ６６で、現在位置に対して「公」が登録されていない場合（Ｓ６６：ＮＯ）、即ち、発信者に対しても現在位置に対しても「私」が登録されている場合、制御部１０は、自身の携帯電話機１に対して着信があることを通知するための表示用データを生成し（Ｓ６７）、生成した表示用データをコンピュータ４へ送信する指示を、発信者の携帯電話機１の電話番号及び発信者情報と共に第１通信部１４から呼制御サーバ３へ送出する（Ｓ６８）。【０１８０】
携帯電話機１から表示用データを取得した呼制御サーバ３の制御部３０は、表示用データと共に携帯電話機１から取得した発信者の携帯電話機１の電話番号及び発信者情報に対応する通知先情報を通知先テーブル３３ａから読み出す（Ｓ６９）。制御部３０は、通知先テーブル３３ａから読み出した通知先情報が示す通知先のコンピュータ４へ、携帯電話機１から取得した表示用データを送信し（Ｓ７０）、上述した着信の通知処理を終了する。【０１８１】
上述したように、呼制御サーバ３から表示用データを送信されたコンピュータ４において、制御部４０は、ＨＤＤ４３に記憶してある通知画面表示処理プログラム４３ａをＲＡＭ４２に読み出して順次実行し、図６に示すような通知画面を表示部４５に表示させる。これにより、携帯電話機１に着信があることをコンピュータ４のユーザに通知することができる。【０１８２】
上述した処理により、本実施形態６では、着信があることを通知するための表示用データをコンピュータ４へ送信する処理を呼制御サーバ３が行なうことにより、携帯電話機１における処理負担を軽減することができる。【０１８３】
本実施形態６の携帯電話機１は、上述した実施形態１の携帯電話機１と同様に、ネットワークＬ１を介した着信又は公衆電話回線網Ｎを介した着信がある都度、着信があることをコンピュータ４へ通知する構成であった。しかし、実施形態２の携帯電話機１のように、着信を検知してから着信を通知するための表示用データをコンピュータ４へ送信するまでの間に所定時間（例えば１０秒程度）待機するように構成してもよい。【０１８４】
この場合、着信が検知されてから所定時間内に携帯電話機１の所有者又は同じグループに属する他の携帯電話機１の所有者によって応答された場合には、コンピュータ４への通知処理を行なわないので、不要な通知処理の発生を抑制することができる。具体的には、図２１に示した処理のステップＳ６７及びＳ６８の間に、所定時間が経過するまで待機する処理を追加すればよい。【０１８５】
本実施形態６は、上述した実施形態１の通信システム１００において、携帯電話機１が表示用データをコンピュータ４へ送信する処理を、呼制御サーバ３によって行なう構成であり、実施形態１の変形例として説明した。同様に、本実施形態６は、上述した実施形態２〜５においても適用することができる。【０１８６】
例えば、実施形態３において本実施形態６の構成を適用した場合、携帯電話機１は、他の携帯電話機１から着信があった場合、自身の携帯電話機１の状態に応じて着信があることをコンピュータ４へ通知するか否かを判定し、通知すると判定した場合に表示用データを生成する。また、この携帯電話機１は、生成した表示用データを対応する通知先のコンピュータ４へ送信する指示を呼制御サーバ３へ送信し、呼制御サーバ３が表示用データのコンピュータ４への送信処理を実行する。【０１８７】
（実施形態７）
以下に、本発明に係る電話装置を、実施形態７である携帯電話機を示す図面に基づいて詳述する。なお、本実施形態７の通信システム１００は、上述した実施形態１の通信システム１００を構成する各装置によって実現可能であるので、実施形態１の携帯電話機１、無線ＡＰ２、呼制御サーバ３及びコンピュータ４により構成されるものとして説明する。【０１８８】
なお、本実施形態７は、上述した実施形態４の変形例であり、上述した実施形態４の携帯電話機１は、着信があることをコンピュータ４へ通知すると判定した場合、発信側の携帯電話機１、即ち発信者に応じた通知先のコンピュータ４へ着信があることを通知する構成であった。【０１８９】
これに対して、本実施形態７の携帯電話機１では、着信があることを通知するように登録された複数の通知先に優先順位を付け、着信があることをコンピュータ４へ通知すると判定した場合、発信側の携帯電話機１、即ち発信者に応じた通知先のうちで優先順位の高い通知先から順に、着信があることを通知するように構成されている。従って、携帯電話機１の所有者により効率よく着信の有無を通知することができる。【０１９０】
本実施形態７の携帯電話機１は、図２２に示すような発信者テーブル１３ａがメモリ部１３に格納されている。発信者テーブル１３ａには、図２２に示すように、予め登録された発信者毎に、発信者が所有する携帯電話機１の電話番号、会社名及び氏名を含む発信者情報、公私の別、通知先情報等が対応付けてそれぞれ登録してある。【０１９１】
なお、通知先情報の欄には、各発信者に対して公私の別の欄に登録された「公」、「私」のそれぞれに対応して、優先順位が１番、２番、３番に設定された通信先の情報が登録される。発信者テーブル１３ａの登録内容は、携帯電話機１の所有者が操作部１６を介して各発信者に関する情報を追加又は修正する都度、制御部１０によって追加又は修正される。【０１９２】
本実施形態７の通信システム１００において、携帯電話機１の制御部１０は、上述した実施形態４と同様に、所定の時間間隔で第１通信部１４を介して最寄の無線ＡＰ２と通信を行なっており、最寄の無線ＡＰ２を検出する都度、最寄の無線ＡＰ２を識別する無線ＡＰ情報をメモリ部１３に逐次更新して記憶させておく。【０１９３】
制御部１０は、ネットワークＬ１又は公衆電話回線網Ｎを介して他の携帯電話機１からの着信を検知した場合、発信者を特定する。また、制御部１０は、発信側の携帯電話機１の電話番号に対する公私の別を発信者テーブル１３ａの登録内容に基づいて判断すると共に、メモリ部１３に記憶してある無線ＡＰ情報によって特定される現在の最寄の無線ＡＰ２に対する公私の別を位置テーブル１３ｂの登録内容に基づいて判断する。そして、制御部１０は、これらの判断結果に基づいて、着信があることをコンピュータ４へ通知すると判定した場合、図６に示すような通知画面を表示させるための表示用データを生成する。【０１９４】
そして、制御部１０は、発信側の携帯電話機１の電話番号に対応して発信者テーブル１３ａに登録してある通知先情報のうちの優先順位が１番の通知先情報を読み出し、読み出した通知先情報が示す通知先のコンピュータ４へ第１通信部１４を介して表示用データへ送信する。制御部１０は、優先順位が１番のコンピュータ４に表示用データを送信した場合、所定時間の計時処理を開始し、所定時間が経過するまでに、この着信に対する応答が有った場合、上述した着信の通知処理を終了する。【０１９５】
優先順位が１番の通知先へ表示用データを送信してから所定時間が経過するまでに、この着信に対する応答が無かった場合、制御部１０は、発信側の携帯電話機１の電話番号に対応して発信者テーブル１３ａに登録してある通知先情報のうちの次に優先順位が高い通知先情報、具体的には、優先順位が２番の通知先情報を読み出し、読み出した通知先情報が示す通知先のコンピュータ４へ第１通信部１４を介して表示用データへ送信する。そして、制御部１０は、所定時間の計時処理を再度開始し、所定時間が経過するまでに、この着信に対する応答が有った場合、上述した着信の通知処理を終了する。【０１９６】
優先順位が２番の通知先へ表示用データを送信してから所定時間が経過するまでに、この着信に対する応答が無かった場合、制御部１０は、発信側の携帯電話機１の電話番号に対応して発信者テーブル１３ａに登録してある通知先情報のうちの次に優先順位が高い通知先情報、具体的には、優先順位が３番の通知先情報を読み出し、読み出した通知先情報が示す通知先のコンピュータ４へ第１通信部１４を介して表示用データへ送信する。なお、本実施形態４の発信者テーブル１３ａでは、優先順位が３番までの通知先を登録するように構成されているので、優先順位が３番の通知先へ表示用データを送信した場合、上述した着信の通知処理を終了する。【０１９７】
上述した処理により、通知先として設定されたコンピュータ４は、それぞれの優先順位に応じた順序で携帯電話機１から表示用データを受信し、受信した表示用データに基づいて、図６に示すような通知画面を表示部４５に表示させることができる。これにより、着信があった携帯電話機１の所有者は、いずれかのコンピュータ４を介して着信がある旨を知ることができる。【０１９８】
なお、優先順位が１番の通知先としては、例えば着信があった携帯電話機１の所有者のコンピュータがあり、優先順位が２番の通知先としては、例えば着信があった携帯電話機１の所有者と仕事上の同じグループに属する者のコンピュータがあり、優先順位が３番の通知先としては、例えばより大きいグループで代表として取り次ぐ者のコンピュータがある。【０１９９】
以下に、本実施形態７の通信システム１００において、携帯電話機１への着信をコンピュータ４へ通知する処理についてフローチャートに基づいて説明する。図２３及び図２４は携帯電話機１による着信の通知処理の手順を示すフローチャートである。なお、以下の処理は、携帯電話機１のＲＯＭ１１又はメモリ部１３に記憶してある制御プログラムに従って制御部１０によって実行される。【０２００】
携帯電話機１の制御部１０は、呼制御サーバ３から着信を通知するパケットを受信した場合、又は公衆電話回線網Ｎに設けられた基地局から着信を通知するパケットを受信した場合、受信したパケットを解析し、発信側の携帯電話機１の電話番号を取得する（Ｓ８１）。制御部１０は、取得した電話番号に対する公私の別、即ち発信者に対する公私の別を発信者テーブル１３ａの登録内容に基づいて判断する（Ｓ８２）。また制御部１０は、メモリ部１３に記憶してある無線ＡＰ情報が示す現在の最寄の無線ＡＰ２に対する公私の別、即ち携帯電話機１の現在位置に対する公私の別を位置テーブル１３ｂの登録内容に基づいて判断する（Ｓ８３）。【０２０１】
制御部１０は、ステップＳ８２の判断処理において、発信者に対して発信者テーブル１３ａに「公」が登録されているか否かを判断し（Ｓ８４）、「公」が登録されている場合（Ｓ８４：ＹＥＳ）、ステップＳ８３の判断処理において、現在位置に対して位置テーブル１３ｂに「公」が登録されているか否かを判断する（Ｓ８５）。【０２０２】
現在位置に対して「公」が登録されている場合（Ｓ８５：ＹＥＳ）、即ち、発信者に対しても現在位置に対しても「公」が登録されている場合、制御部１０は、ステップＳ８７へ処理を移行する。現在位置に対して「公」が登録されていない場合（Ｓ８５：ＮＯ）、即ち、発信者に対しては「公」が登録されており、現在位置に対しては「私」が登録されている場合、制御部１０は、上述した着信の通知処理を終了する。【０２０３】
ステップＳ８４で、発信者に対して発信者テーブル１３ａに「公」が登録されていない場合（Ｓ８４：ＮＯ）、制御部１０は、ステップＳ８３の判断処理において、現在位置に対して位置テーブル１３ｂに「公」が登録されているか否かを判断する（Ｓ８６）。現在位置に対して「公」が登録されている場合（Ｓ８６：ＹＥＳ）、即ち、発信者に対しては「私」が登録されており、現在位置に対しては「公」が登録されている場合、制御部１０は、上述した着信の通知処理を終了する。【０２０４】
ステップＳ８６で、現在位置に対して「公」が登録されていない場合（Ｓ８６：ＮＯ）、即ち、発信者に対しても現在位置に対しても「私」が登録されている場合、制御部１０は、ステップＳ８７へ処理を移行する。ステップＳ８７において制御部１０は、自身の携帯電話機１に対して着信があることを通知するための表示用データを生成する（Ｓ８７）。制御部１０は、ステップＳ８１で取得した発信側の携帯電話機１の電話番号に対応する通知先情報のうちの優先順位が１番の通知先情報を発信者テーブル１３ａから読み出す（Ｓ８８）。【０２０５】
制御部１０は、ステップＳ８７で生成した表示用データを、発信者テーブル１３ａから読み出した優先順位が１番の通知先情報が示す通知先のコンピュータ４へ送信し（Ｓ８９）、タイマ１０ａによる所定時間の計時処理を開始する（Ｓ９０）。制御部１０は、呼制御サーバ３から着信に対して応答があったことを通知するパケットを受信したか否かに応じて、又は公衆電話回線網Ｎに設けられた基地局から着信に対して応答があったことを通知するパケットを受信したか否かに応じて、着信に対して応答が有ったか否かを判断する（Ｓ９１）。【０２０６】
応答が無いと判断した場合（Ｓ９１：ＮＯ）、制御部１０は、タイマ１０ａによる計時処理の結果、所定時間が経過したか否かを判断し（Ｓ９２）、所定時間が経過していない場合（Ｓ９２：ＮＯ）、ステップＳ９１へ処理を戻す。所定時間が経過した場合（Ｓ９２：ＹＥＳ）、即ち、所定時間内に着信に対する応答がなかった場合、制御部１０は、ステップＳ８１で取得した発信側の携帯電話機１の電話番号に対応する通知先情報が発信者テーブル１３ａにまだ有るか否かを判断する（Ｓ９３）。【０２０７】
通知先情報がまだ有ると判断した場合（Ｓ９３：ＹＥＳ）、制御部１０は、発信側の携帯電話機１の電話番号に対応する通知先情報のうちの次に優先順位の高い通知先情報を発信者テーブル１３ａから読み出す（Ｓ９４）。制御部１０は、ステップＳ８９へ処理を戻し、ステップＳ８７で生成した表示用データを、発信者テーブル１３ａから読み出した通知先情報が示す通知先のコンピュータ４へ送信する（Ｓ８９）。【０２０８】
制御部１０は、着信に対して応答が有るまで、又は発信側の携帯電話機１の電話番号に対応する全ての通知先へ表示用データを送信するまで、上述したステップＳ８９〜Ｓ９４の処理を繰り返し、応答が有ったと判断した場合（Ｓ９１：ＹＥＳ）、又は、通知先情報が発信者テーブル１３ａに無いと判断した場合（Ｓ９３：ＮＯ）、上述した処理を終了する。【０２０９】
上述したように、着信のある携帯電話機１から表示用データを送信されたコンピュータ４において、制御部４０は、ＨＤＤ４３に記憶してある通知画面表示処理プログラム４３ａをＲＡＭ４２に読み出して順次実行し、図６に示すような通知画面を表示部４５に表示させる。これにより、携帯電話機１に着信があることをコンピュータ４のユーザに通知することができる。【０２１０】
上述した処理により、本実施形態７では、携帯電話機１に対する着信があった場合、発信者に対して予め設定された通知先のコンピュータ４へそれぞれに設定された優先順位で着信があることを通知する。従って、携帯電話機１の所有者は、発信者に応じて所望のコンピュータ４によって着信の有無を知ることができる。また、携帯電話機１の所有者が応答できない場合には、所望のコンピュータ４のユーザに着信の有無を通知することができる。【０２１１】
本実施形態７の携帯電話機１は、上述した実施形態１の携帯電話機１と同様に、ネットワークＬ１を介した着信又は公衆電話回線網Ｎを介した着信がある都度、着信があることをコンピュータ４へ通知する構成であった。しかし、実施形態２の携帯電話機１のように、着信を検知してから着信を通知するための表示用データをコンピュータ４へ送信するまでの間に所定時間（例えば１０秒程度）待機するように構成してもよい。この場合、着信が検知されてから所定時間内に携帯電話機１の所有者又は同じグループに属する他の携帯電話機１の所有者によって応答された場合には、コンピュータ４への通知処理を行なわないので、不要な通知処理の発生を抑制することができる。【０２１２】
上述した実施形態７では、着信があった場合に、発信者に対して予め設定された公私の別及び携帯電話機１の現在位置に対して予め設定された公私の別に応じて着信があることをコンピュータ４へ通知するか否かを判定する構成の携帯電話機１を例に説明した。本実施形態７は、上述した実施形態３においても適用することができる。具体的には、携帯電話機１の状態に応じて着信があることをコンピュータ４へ通知するか否かを判定し、通知すると判定した場合に、発信者に応じた通知先のコンピュータ４へそれぞれに設定された優先順位で通知するように携帯電話機１を構成することもできる。
【図１】
2009016760.tif 000003
【図２】
2009016760.tif 000004
【図３】
2009016760.tif 000005
【図４】
2009016760.tif 000006
【図５】
2009016760.tif 000007
【図６】
2009016760.tif 000008
【図７】
2009016760.tif 000009
【図８】
2009016760.tif 000010
【図９】
2009016760.tif 000011
【図１０】
2009016760.tif 000012
【図１１】
2009016760.tif 000013
【図１２】
2009016760.tif 000014
【図１３】
2009016760.tif 000015
【図１４】
2009016760.tif 000016
【図１５】
2009016760.tif 000017
【図１６】
2009016760.tif 000018
【図１７】
2009016760.tif 000019
【図１８】
2009016760.tif 000020
【図１９】
2009016760.tif 000021
【図２０】
2009016760.tif 000022
【図２１】
2009016760.tif 000023
【図２２】
2009016760.tif 000024
【図２３】
2009016760.tif 000025
【図２４】
2009016760.tif 000026
【手続補正書】
【提出日】平成21年9月9日(2009.9.9)
【手続補正１】
【補正対象書類名】明細書
【補正対象項目名】００１５
【補正方法】削除
【補正の内容】
【手続補正２】
【補正対象書類名】明細書
【補正対象項目名】００１６
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００３０
【補正方法】削除
【補正の内容】
【手続補正９】
【補正対象書類名】特許請求の範囲
【補正対象項目名】全文
【補正方法】変更
【補正の内容】
【特許請求の範囲】
【請求項１】
ネットワークを介して他の電話装置との間で通信を行なう電話装置において、
電話装置を識別する電話装置情報及び各電話装置に対して予め設定された用途の別を示す第１の用途種別情報を対応付けて登録してある電話装置テーブルと、
位置及び各位置に対して予め設定された用途の別を示す第２の用途種別情報を対応付けて登録してある位置テーブルと、
自身の現在位置を検出する位置検出手段と、
ネットワークを介した他の電話装置からの着信を検知する検知手段と、
該検知手段が着信を検知した場合、発信側の電話装置を検出する検出手段と、
該検出手段が検出した発信側の電話装置に対する第１の用途種別情報を前記電話装置テーブルから取得する第１取得手段と、
前記検知手段が着信を検知した場合、前記位置検出手段が検出した現在位置に対する第２の用途種別情報を前記位置テーブルから取得する第２取得手段と、
前記第１取得手段が取得した第１の用途種別情報及び前記第２取得手段が取得した第２の用途種別情報に基づいて、前記発信側の電話装置から着信がある旨を所定の通信装置へ通知するか否かを判定する判定手段と、
該判定手段が所定の通信装置へ通知すると判定した場合、前記発信側の電話装置から自身の電話装置に着信がある旨を所定の通信装置へ通知する通知手段と
を備えることを特徴とする電話装置。
【請求項２】
前記判定手段は、前記第１の用途種別情報及び前記第２の用途種別情報が同じ用途種別の関係にあると判断した場合、又は前記第１の用途種別情報が前記第２の用途種別情報を包含する若しくは包含される関係にあると判断した場合、前記発信側の電話装置から着信がある旨を所定の通信装置へ通知すると判定するように構成してあることを特徴とする請求項１に記載の電話装置。
【請求項３】
電話装置を識別する電話装置情報及び通信装置を識別する通信装置情報を対応付けて登録してある装置テーブルと、
前記判定手段が所定の通信装置へ通知すると判定した場合、前記発信側の電話装置に対応する通信装置を前記装置テーブルに基づいて特定する手段とを備え、
前記通知手段は、特定した通信装置へ、前記発信側の電話装置から自身の電話装置に着信がある旨を通知するように構成してあること
を特徴とする請求項１又は２に記載の電話装置。
【請求項４】
ネットワークを介して他の電話装置との間で通信を行なう電話装置において、
ネットワークを介した他の電話装置からの着信を検知する検知手段と、
該検知手段が着信を検知した場合、発信側の電話装置を検出する検出手段と、
位置及び各位置に対して予め設定された通信装置を識別する通信装置情報を対応付けて登録してあるテーブルと、
自身の現在位置を検出する位置検出手段と、
前記検知手段が着信を検知した場合、前記位置検出手段が検出した現在位置に対応する通信装置を前記テーブルに基づいて特定する手段と、
特定した通信装置へ、前記検出手段が検出した発信側の電話装置から自身の電話装置に着信がある旨を通知する通知手段と
を備えることを特徴とする電話装置。
【請求項５】
ネットワークを介して相互に通信を行なう複数の電話装置と、該電話装置間の通信を制御する制御装置とを備えた通信システムにおいて、
前記電話装置は、
電話装置を識別する電話装置情報及び各電話装置に対して予め設定された用途の別を示す第１の用途種別情報を対応付けて登録してある電話装置テーブルと、
位置及び各位置に対して予め設定された用途の別を示す第２の用途種別情報を対応付けて登録してある位置テーブルと、
自身の現在位置を検出する位置検出手段と、
ネットワークを介した他の電話装置からの着信を検知する検知手段と、
該検知手段が着信を検知した場合、発信側の電話装置を検出する検出手段と、
該検出手段が検出した発信側の電話装置に対する第１の用途種別情報を前記電話装置テーブルから取得する第１取得手段と、
前記検知手段が着信を検知した場合、前記位置検出手段が検出した現在位置に対する第２の用途種別情報を前記位置テーブルから取得する第２取得手段と、
前記第１取得手段が取得した第１の用途種別情報及び前記第２取得手段が取得した第２の用途種別情報に基づいて、前記発信側の電話装置から着信がある旨を所定の通信装置へ通知するか否かを判定する判定手段と、
該判定手段が所定の通信装置へ通知すると判定した場合、前記発信側の電話装置から自身の電話装置に着信がある旨を所定の通信装置へ通知する指示を前記制御装置へ送出する手段とを有し、
前記制御装置は、前記電話装置から送出された指示に従って、前記指示を送出した電話装置に対して前記発信側の電話装置から着信がある旨を所定の通信装置へ通知する手段を有すること
を特徴とする通信システム。
【請求項６】
コンピュータに、ネットワークを介して相互に通信を行なう電話装置間の通信を制御させるためのコンピュータプログラムにおいて、
コンピュータに、
ネットワークを介した電話装置からの発呼を検知するステップと、
発呼を検知した場合、発信側の電話装置及び着信側の電話装置を検出するステップと、
検出した発信側の電話装置に対して予め設定された用途の別を示す第１の用途種別情報を取得するステップと、
検出した着信側の電話装置の現在位置を取得するステップと、
着信側の電話装置に対する現在位置に対して予め設定された用途の別を示す第２の用途種別情報を取得するステップと、
取得した第１の用途種別情報及び第２の用途種別情報に基づいて、前記発信側の電話装置から前記着信側の電話装置に着信がある旨を所定の通信装置へ通知するか否かを判定するステップと、
所定の通信装置へ通知すると判定した場合、前記発信側の電話装置から前記着信側の電話装置に着信がある旨を出力する指示を所定の通信装置へ送出するステップと
を実行させるためのコンピュータプログラム。
【国際調査報告】
2009016760.tif 000027
2009016760.tif 000028
2009016760.tif 000029
2009016760.tif 000030